(57)【要約】【課題】  定着部を入れ替えて使用する場合においても、画質が悪化することを抑制することを目的とする。【解決手段】  画像形成装置１００は、画像形成部３０９と、画像形成装置１００の本体に着脱可能な定着部１５０と、定着部１５０でのジャムを検知するジャム検知部１５３、１５５と、ジャムの解消に伴う回転体１５１のクリーニング処理を実行させる実行部３０１と、前記クリーニング処理が実行されたか否かに対応する情報を定着記憶部１５４と本体記憶部３１２に記録する記録部３０１と、報知部１８０と、を有する。実行部３０１は、画像形成装置１００の本体に装着されている定着部１５０に前記クリーニング処理が実行されていない場合、報知部１８０が報知を行う前に前記クリーニング処理を実行させる。【選択図】  図６
2017015915.tif 000002
【特許請求の範囲】
【請求項１】
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体と、前記画像形成装置の本体に着脱可能な他の定着部と識別するための識別部と、情報を記憶可能な定着記憶部と、を備える定着部と、
前記定着部でのジャムを検知するジャム検知部と、
前記ジャム検知部が検知したジャムの解消に伴う前記回転体のクリーニング処理を実行させる実行部と、
情報を記憶可能な本体記憶部と、
前記クリーニング処理が実行されたか否かに対応するクリーニング情報と前記識別部に基づく識別情報とを対応付けて前記本体記憶部に記録する記録部であって、前記クリーニング情報を前記定着記憶部に記録する記録部と、
前記画像形成装置が記録材への画像形成を実行できる状態であることを操作者に報知する報知部と、
を有し、
前記実行部は、前記本体記憶部と前記定着記憶部から取得する情報に基づき、前記画像形成装置の本体に装着されている前記定着部に前記クリーニング処理が実行されていないと判別した場合、前記報知部が報知を行う前に前記クリーニング処理を実行させることを特徴とする画像形成装置。
【請求項２】
時刻に対応する情報を出力する出力部を有し、
前記記録部は、前記クリーニング情報と前記識別情報と前記出力部による時刻情報とを対応付けて前記本体記憶部に記録する記録部であって、前記クリーニング情報と前記時刻情報とを対応付けて前記定着記憶部に記録し、
前記実行部は、前記画像形成装置の本体に装着されている前記定着部に対応する前記クリーニング情報が前記識別情報に基づき前記本体記憶部に記憶されていると判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が実行されていないことを示している場合、前記報知部が報知を行う前に前記クリーニング処理を実行させることを特徴とする請求項１に記載の画像形成装置。
【請求項３】
前記画像形成装置の本体に装着されている前記定着部に対応する前記クリーニング情報が前記識別情報に基づき前記本体記憶部に記憶されていると前記実行部が判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が実行済みであることを示している場合、
前記実行部は前記クリーニング処理を実行させず、前記報知部は前記画像形成装置が記録材への画像形成を実行できる状態となったことに伴い報知を行うことを特徴とする請求項２に記載の画像形成装置。
【請求項４】
前記識別情報に対応する前記クリーニング情報を前記本体記憶部から取得できない場合であって、前記定着記憶部から取得する前記クリーニング情報が前記クリーニング処理が実行されていないことを示している場合、前記実行部は、前記報知部が報知を行う前に前記クリーニング処理を実行させることを特徴とする請求項２又は３のいずれか１項に記載の画像形成装置。
【請求項５】
前記クリーニング処理が中断された場合、前記記録部は前記クリーニング情報として前記クリーニング処理が実行されていないことを示す情報を記録することを特徴とする請求項２乃至４のいずれか１項に記載の画像形成装置。
【請求項６】
前記実行部は、前記画像形成装置の本体に装着されている前記定着部に対応した前記クリーニング情報が前記識別情報に基づき前記本体記憶部に記憶されていると判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が中断されたことを示している場合、前記報知部が報知を行うまでに、前記クリーニング処理よりも前記回転体をクリーニングする時間が短いクリーニング処理を実行させることを特徴とする請求項２乃至４のいずれか１項に記載の画像形成装置。
【請求項７】
第１のモードと第２のモードとを含む複数のモードの中から１つのモードを選択させる選択部を有し、
前記第１のモードは、前記画像形成装置の本体に装着されている前記定着部に対応した前記クリーニング情報が前記識別情報に基づき前記本体記憶部に記憶されていると前記実行部が判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が中断されたことを示す場合、前記報知部が報知を行うまでに前記実行部が前記クリーニング処理を実行させるモードであり、
前記第２のモードは、前記画像形成装置の本体に装着されている前記定着部に対応した前記クリーニング情報が前記識別情報に基づき前記本体記憶部に記憶されていると前記実行部が判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が中断されたことを示す場合、前記報知部が報知を行うまでに前記実行部が前記クリーニング処理よりも前記回転体をクリーニングする時間が短いクリーニング処理を実行させるモードであることを特徴とする請求項２乃至４のいずれか１項に記載の画像形成装置。
【請求項８】
前記記録部は、前記ジャム検知部が前記定着部でのジャムを検知したことに伴い、前記クリーニング情報として前記クリーニング処理が実行されていないことを示す情報を、前記出力部による第一の時刻情報と前記識別情報に対応付けて前記本体記憶部に記録し、
前記記録部は、前記ジャム検知部が前記定着部でのジャムを検知したことに伴い、前記クリーニング情報として前記クリーニング処理が実行されていないことを示す情報を、前記第一の時刻情報に対応付けて前記定着記憶部に記録することを特徴とする請求項２乃至７のいずれか１項に記載の画像形成装置。
【請求項９】
前記記録部は、前記実行部による前記クリーニング処理が実行されてから前記画像形成装置が記録材への画像形成を開始するまでの間に、前記クリーニング情報として前記クリーニング処理が実行済みであることを示す情報を、前記出力部による第二の時刻情報と前記識別情報とを対応付けて前記本体記憶部に記録し、
前記記録部は、前記実行部による前記クリーニング処理が実行されてから前記画像形成装置が記録材への画像形成を開始するまでの間に、前記クリーニング処理が実行済みであることを示す情報を、前記第二の時刻情報に対応付けて前記定着記憶部に記録することを特徴とする請求項８に記載の画像形成装置。
【請求項１０】
前記定着部に設けられ、前記回転体を加熱する加熱部と、
前記定着部に設けられ、前記回転体の温度を検知する温度検知部と、を有し、
前記実行部は、前記画像形成装置の本体に装着されている前記定着部に対応した前記クリーニング情報が前記識別情報に基づき前記本体記憶部に記憶されていると判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が実行されていないことを示している場合、前記加熱部により加熱された前記回転体が所定の温度になったことを前記温度検知部が検知したことに伴い前記クリーニング処理を開始させることを特徴とする請求項２乃至９のいずれか１項に記載の画像形成装置。
【請求項１１】
前記定着記憶部は、前記記録部により記録された累積回数を示す回数情報を記憶し、
前記記録部は、前記クリーニング情報を前記定着記憶部に記録するとともに、前記定着記憶部が記憶する前記回数情報を更新する記録部であって、更新した前記回数情報を前記クリーニング情報と前記識別情報とを対応付けて前記本体記憶部に記録し、
前記実行部は、前記画像形成装置の本体に装着されている前記定着部に対応する前記クリーニング情報が前記識別情報に基づき前記本体記憶部に記憶されていると判別した場合であって、前記定着記憶部から取得する回数情報と前記本体記憶部から取得する前記識別情報に対応した回数情報のうちより多い回数を示す回数情報に対応付けられた前記クリーニング情報が前記クリーニング処理が実行されていないことを示している場合、前記報知部が報知を行う前に前記クリーニング処理を実行させることを特徴とする請求項１に記載の画像形成装置。
【請求項１２】
前記画像形成装置の本体に装着されている前記定着部に対応する前記クリーニング情報が前記識別情報に基づき前記本体記憶部に記憶されていると前記実行部が判別した場合であって、前記定着記憶部から取得する回数情報と前記本体記憶部から取得する前記識別情報に対応した回数情報のうちより多い回数を示す回数情報に対応付けられた前記クリーニング情報が前記クリーニング処理が実行済みであることを示している場合、
前記実行部は前記クリーニング処理を実行させず、前記報知部は前記画像形成装置が記録材への画像形成を実行できる状態となったことに伴い報知を行うことを特徴とする請求項１１に記載の画像形成装置。
【請求項１３】
前記識別情報に対応する前記クリーニング情報を前記本体記憶部から取得できない場合であって、前記定着記憶部から取得する前記クリーニング情報が前記クリーニング処理が実行されていないことを示している場合、前記実行部は、前記報知部が報知を行う前に前記クリーニング処理を実行させることを特徴とする請求項１１又は１２のいずれか１項に記載の画像形成装置。
【請求項１４】
前記クリーニング処理が中断された場合、前記記録部は前記クリーニング情報として前記クリーニング処理が実行されていないことを示す情報を記録することを特徴とする請求項１１乃至１３のいずれか１項に記載の画像形成装置。
【請求項１５】
前記実行部は、前記画像形成装置の本体に装着されている前記定着部に対応した前記クリーニング情報が前記識別情報に基づき前記本体記憶部に記憶されていると判別した場合であって、前記定着記憶部から取得する回数情報と前記本体記憶部から取得する前記識別情報に対応した回数情報のうちより多い回数を示す回数情報に対応付けられた前記クリーニング情報が前記クリーニング処理が中断されたことを示している場合、前記報知部が報知を行うまでに、前記クリーニング処理よりも前記回転体をクリーニングする時間が短いクリーニング処理を実行させることを特徴とする請求項１１乃至１３のいずれか１項に記載の画像形成装置。
【請求項１６】
第１のモードと第２のモードとを含む複数のモードの中から１つのモードを選択させる選択部を有し、
前記第１のモードは、前記画像形成装置の本体に装着されている前記定着部に対応した前記クリーニング情報が前記識別情報に基づき前記本体記憶部に記憶されていると前記実行部が判別した場合であって、前記定着記憶部から取得する回数情報と前記本体記憶部から取得する前記識別情報に対応した回数情報のうちより多い回数を示す回数情報に対応付けられた前記クリーニング情報が前記クリーニング処理が中断されたことを示す場合、前記報知部が報知を行うまでに前記実行部が前記クリーニング処理を実行させるモードであり、
前記第２のモードは、前記画像形成装置の本体に装着されている前記定着部に対応した前記クリーニング情報が前記識別情報に基づき前記本体記憶部に記憶されていると前記実行部が判別した場合であって、前記定着記憶部から取得する回数情報と前記本体記憶部から取得する前記識別情報に対応した回数情報のうちより多い回数を示す回数情報に対応付けられた前記クリーニング情報が前記クリーニング処理が中断されたことを示す場合、前記報知部が報知を行うまでに前記実行部が前記クリーニング処理よりも前記回転体をクリーニングする時間が短いクリーニング処理を実行させるモードであることを特徴とする請求項１１乃至１３のいずれか１項に記載の画像形成装置。
【請求項１７】
前記記録部は、前記ジャム検知部が前記定着部でのジャムを検知したことに伴い、前記クリーニング情報として前記クリーニング処理が実行されていないことを示す情報を前記定着記憶部に記録するとともに前記定着記憶部が記憶する前記回数情報を更新し、
前記記録部は、前記ジャム検知部が前記定着部でのジャムを検知したことに伴い、前記クリーニング情報として前記クリーニング処理が実行されていないことを示す情報を、更新した前記回数情報と前記識別情報に対応付けて前記本体記憶部に記録することを特徴とする請求項１１乃至１６のいずれか１項に記載の画像形成装置。
【請求項１８】
前記記録部は、前記実行部による前記クリーニング処理が実行されてから前記画像形成装置が記録材への画像形成を開始するまでの間に、前記クリーニング情報として前記クリーニング処理が実行済みであることを示す情報を前記定着記憶部に記録するとともに前記定着記憶部が記憶する前記回数情報を更新し、
前記記録部は、前記実行部による前記クリーニング処理が実行されてから前記画像形成装置が記録材への画像形成を開始するまでの間に、更新した前記回数情報と前記識別情報に対応付けて前記本体記憶部に記録することを特徴とする請求項１７に記載の画像形成装置。
【請求項１９】
前記定着部は、前記回転体を加熱する加熱部と、前記回転体の温度を検知する温度検知部と、を有し、
前記実行部は、前記画像形成装置の本体に装着されている前記定着部に対応した前記クリーニング情報が前記識別情報に基づき前記本体記憶部に記憶されていると判別した場合であって、前記定着記憶部から取得する回数情報と前記本体記憶部から取得する前記識別情報に対応した回数情報のうちより新しい時刻情報に対応付けられた前記クリーニング情報が前記クリーニング処理が実行されていないことを示している場合、前記加熱部により加熱された前記回転体が所定の温度になったことを前記温度検知部が検知したことに伴い前記クリーニング処理を開始させることを特徴とする請求項１１乃至１８のいずれか１項に記載の画像形成装置。
【請求項２０】
前記定着部を前記画像形成装置の本体から取り出すための開口部を開閉する開閉部と、
前記開閉部が閉じられたことを検知する開閉検知部と、を有し、
前記実行部は、前記開閉部が閉じられたことを前記開閉検知部が検知したことに伴い前記本体記憶部と前記定着記憶部から取得する情報に基づき、前記画像形成装置の本体に装着されている前記定着部に前記クリーニング処理が実行されていないと判別した場合、前記報知部が報知を行う前に前記クリーニング処理を実行させることを特徴とする請求項１に記載の画像形成装置。
【請求項２１】
前記画像形成装置を起動する電源スイッチを有し、
前記実行部は、前記電源スイッチがオンになったことに伴い前記本体記憶部と前記定着記憶部から取得する情報に基づき、前記画像形成装置の本体に装着されている前記定着部に前記クリーニング処理が実行されていないと判別した場合、前記報知部が報知を行う前に前記クリーニング処理を実行させることを特徴とする請求項１又は２０のいずれか１項に記載の画像形成装置。
【請求項２２】
前記回転体をクリーニングするクリーニング部を有し、
前記実行部は、前記クリーニング処理を前記クリーニング部に実行させることを特徴とする請求項１乃至２１のいずれか１項に記載の画像形成装置。
【請求項２３】
前記実行部は、前記定着記憶部と前記本体記憶部から取得する情報に拘わらず、前記報知部が報知を行うまでに前記定着部が定着処理を開始できる状態とするためのウォームアップ処理を前記定着部に実行させ、
前記クリーニング部は、前記ウォームアップ処理中に前記回転体をクリーニングすることを特徴とする請求項２２に記載の画像形成装置。
【請求項２４】
前記定着部は、前記定着処理するためのニップ部を前記回転体とともに形成する他の回転体を有し、
前記クリーニング部は、前記回転体により従動回転しながら前記回転体からトナーを回収する回収回転体と、前記回収回転体の表面に当接して前記回収回転体からトナーを除去するためのウェブと、前記ウェブが巻きつけられたローラと、前記ウェブを巻き取る巻き取りローラと、を有し、前記巻き取りローラを断続的に回転させることによりクリーニングすることを特徴とする請求項２２又は２３のいずれか１項に記載の画像形成装置。
【請求項２５】
前記クリーニング部は、前記回転体により従動回転しながら前記回転体からトナーを除去するためのウェブと、前記ウェブが巻きつけられたローラと、前記ウェブを巻き取る巻き取りローラと、を有し、前記巻き取りローラを断続的に回転させることによりクリーニングすることを特徴とする請求項２２又は２３のいずれか１項に記載の画像形成装置。
【請求項２６】
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体と、前記画像形成装置の本体に着脱可能な他の定着部と識別するための識別情報を含む情報を記憶する定着記憶部と、を備える定着部と、
前記定着部でのジャムを検知するジャム検知部と、
前記ジャム検知部が検知したジャムの解消に伴う前記回転体のクリーニング処理を実行させる実行部と、
情報を記憶する本体記憶部と、
前記クリーニング処理が実行されたか否かに対応するクリーニング情報と前記定着記憶部から取得する識別情報とを対応付けて前記本体記憶部に記録する記録部であって、前記クリーニング情報を対応付けて前記定着記憶部に記録する記録部と、
前記画像形成装置が記録材への画像形成を実行できる状態であることを操作者に報知する報知部と、
を有し、
前記実行部は、前記本体記憶部と前記定着記憶部から取得する情報に基づき、前記画像形成装置の本体に装着されている前記定着部に前記クリーニング処理が実行されていないと判別した場合、前記報知部が報知を行う前に前記クリーニング処理を実行させることを特徴とする画像形成装置。
【請求項２７】
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体と、前記画像形成装置の本体に着脱可能な他の定着部と識別するための識別部と、情報を記憶可能な定着記憶部と、を備える定着部と、
前記定着部でのジャムを検知するジャム検知部と、
前記ジャム検知部が検知したジャムの解消に伴う前記回転体のクリーニング処理を実行させる実行部と、
情報を記憶可能な本体記憶部と、
前記クリーニング処理が実行されたか否かに対応するクリーニング情報と前記識別部に基づく識別情報とを対応付けて前記本体記憶部に記録する記録部であって、前記クリーニング情報を対応付けて前記定着記憶部に記録する記録部と、
を有し、
前記実行部は、前記本体記憶部と前記定着記憶部から取得する情報に基づき、前記画像形成装置の本体に装着されている前記定着部に前記クリーニング処理が実行されていないと判別した場合、前記定着部にて定着処理が開始されるまでに前記クリーニング処理を実行させることを特徴とする画像形成装置。
【請求項２８】
画像形成を実行する記録材の種類を操作者に選択させる選択部を有し、
前記定着記憶部は、前記定着部による定着処理が制限される記録材の種類に対応する制限情報を記憶し、
前記選択部は、前記定着記憶部から取得する前記制限情報に応じて、前記定着部による定着処理が制限される記録材の種類が選択されることを制限することを特徴とする請求項２７に記載の画像形成装置。
【請求項２９】
画像形成装置に着脱可能な定着装置であって、
記録材に形成された未定着トナー像を記録材に定着処理するとき記録材の未定着トナー像が形成された面に接する回転体と、
前記回転体をクリーニングするクリーニング部と、
前記画像形成装置の本体に着脱可能な他の定着部と識別するための識別部と、
前記定着装置でのジャムの解消に伴い前記クリーニング部によりクリーニング処理が実行されたか否かに対応するクリーニング情報と時刻情報とを対応付けて記憶可能な定着記憶部と、
を有することを特徴とする定着装置。
【請求項３０】
画像形成装置に着脱可能な定着装置であって、
記録材に形成された未定着トナー像を記録材に定着処理するとき記録材の未定着トナー像が形成された面に接する回転体と、
前記回転体をクリーニングするクリーニング部と、
前記画像形成装置の本体に着脱可能な他の定着部と識別するための識別部と、
情報を記憶するための定着記憶部であって、前記定着装置でのジャムの解消に伴い前記クリーニング部によりクリーニング処理が実行されたか否かに対応するクリーニング情報と前記定着記憶部に情報が記録された累積回数を示す回数情報とを対応付けて記憶可能な定着記憶部と、
を有することを特徴とする定着装置。
【請求項３１】
前記回数情報が示す前記累積回数は、前記定着記憶部に前記クリーニング情報が記録された累積回数であることを特徴とする請求項３０に記載の定着装置。
【発明の詳細な説明】
【技術分野】
【０００１】
本発明は、電子写真方式の画像形成装置、及び、電子写真方式の画像形成装置に用いられる定着装置に関する。
【背景技術】
【０００２】
電子写真方式の画像形成装置には、記録材に形成された未定着トナー像を記録材に定着する定着器（定着部）が設けられている。より高品質な成果物を得るために、定着する記録材のサイズや種類に応じて使用目的の異なる定着器を入れ替えて使用する方法が知られている。特許文献１では、定着器の識別情報を検出し、決定された印刷ジョブの仕様に対して適切でない定着器を認識した場合にユーザに知らせる方法が提案されている。
【０００３】
一方、定着器においてジャムが発生した場合、定着器の定着部材（回転体）に未定着トナーが付着する恐れがある。そのため、ユーザにより定着器に詰まった記録材を取り除くジャム処理が行われた後、定着部材のクリーニングが行われる。
【先行技術文献】
【特許文献】
【０００４】
【特許文献１】特開２０１１−５６９４５号公報
【発明の概要】
【発明が解決しようとする課題】
【０００５】
しかしながら、複数の定着器を入れ替えて使用するシステムを採用した場合、定着器に対しジャム処理後のクリーニングが実行される前に、他の定着器と交換されてしまう恐れがある。このように、クリーニングが実行されずに取り外された定着器が再度画像形成装置に装着された場合、クリーニングが実行されないままプリントが開始されてしまう。その結果、定着部材に付着した未定着トナーにより出力物である記録材が汚れてしまう恐れがあった。
【０００６】
そこで、本発明の目的は、定着部を入れ替えて使用する場合においても、画質が悪化することを抑制することである。
【課題を解決するための手段】
【０００７】
上記の目的を達成するために、第１の発明は、
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体と、前記画像形成装置の本体に着脱可能な他の定着部と識別するための識別部と、情報を記憶可能な定着記憶部と、を備える定着部と、
前記定着部でのジャムを検知するジャム検知部と、
前記ジャム検知部が検知したジャムの解消に伴う前記回転体のクリーニング処理を実行させる実行部と、
情報を記憶可能な本体記憶部と、
前記クリーニング処理が実行されたか否かに対応するクリーニング情報と前記識別部に基づく識別情報とを対応付けて前記本体記憶部に記録する記録部であって、前記クリーニング情報を前記定着記憶部に記録する記録部と、
前記画像形成装置が記録材への画像形成を実行できる状態であることを操作者に報知する報知部と、
を有し、
前記実行部は、前記本体記憶部と前記定着記憶部から取得する情報に基づき、前記画像形成装置の本体に装着されている前記定着部に前記クリーニング処理が実行されていないと判別した場合、前記報知部が報知を行う前に前記クリーニング処理を実行させることを特徴とするものである。
【０００８】
第２の発明は、
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体と、前記画像形成装置の本体に着脱可能な他の定着部と識別するための識別情報を含む情報を記憶する定着記憶部と、を備える定着部と、
前記定着部でのジャムを検知するジャム検知部と、
前記ジャム検知部が検知したジャムの解消に伴う前記回転体のクリーニング処理を実行させる実行部と、
情報を記憶する本体記憶部と、
前記クリーニング処理が実行されたか否かに対応するクリーニング情報と前記定着記憶部から取得する識別情報とを対応付けて前記本体記憶部に記録する記録部であって、前記クリーニング情報を対応付けて前記定着記憶部に記録する記録部と、
前記画像形成装置が記録材への画像形成を実行できる状態であることを操作者に報知する報知部と、
を有し、
前記実行部は、前記本体記憶部と前記定着記憶部から取得する情報に基づき、前記画像形成装置の本体に装着されている前記定着部に前記クリーニング処理が実行されていないと判別した場合、前記報知部が報知を行う前に前記クリーニング処理を実行させることを特徴とするものである。
【０００９】
第３の発明は、
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体と、前記画像形成装置の本体に着脱可能な他の定着部と識別するための識別部と、情報を記憶可能な定着記憶部と、を備える定着部と、
前記定着部でのジャムを検知するジャム検知部と、
前記ジャム検知部が検知したジャムの解消に伴う前記回転体のクリーニング処理を実行させる実行部と、
情報を記憶可能な本体記憶部と、
前記クリーニング処理が実行されたか否かに対応するクリーニング情報と前記識別部に基づく識別情報とを対応付けて前記本体記憶部に記録する記録部であって、前記クリーニング情報を対応付けて前記定着記憶部に記録する記録部と、
を有し、
前記実行部は、前記本体記憶部と前記定着記憶部から取得する情報に基づき、前記画像形成装置の本体に装着されている前記定着部に前記クリーニング処理が実行されていないと判別した場合、前記定着部にて定着処理が開始されるまでに前記クリーニング処理を実行させることを特徴とするものである。
【００１０】
第４の発明は、
画像形成装置に着脱可能な定着装置であって、
記録材に形成された未定着トナー像を記録材に定着処理するとき記録材の未定着トナー像が形成された面に接する回転体と、
前記回転体をクリーニングするクリーニング部と、
前記画像形成装置の本体に着脱可能な他の定着部と識別するための識別部と、
前記定着装置でのジャムの解消に伴い前記クリーニング部によりクリーニング処理が実行されたか否かに対応するクリーニング情報と時刻情報とを対応付けて記憶可能な定着記憶部と、
を有することを特徴とするものである。
【００１１】
第５の発明は、
画像形成装置に着脱可能な定着装置であって、
記録材に形成された未定着トナー像を記録材に定着処理するとき記録材の未定着トナー像が形成された面に接する回転体と、
前記回転体をクリーニングするクリーニング部と、
前記画像形成装置の本体に着脱可能な他の定着部と識別するための識別部と、
情報を記憶するための定着記憶部であって、前記定着装置でのジャムの解消に伴い前記クリーニング部によりクリーニング処理が実行されたか否かに対応するクリーニング情報と前記定着記憶部に情報が記録された累積回数を示す回数情報とを対応付けて記憶可能な定着記憶部と、
を有することを特徴とするものである。
【発明の効果】
【００１２】
本発明によれば、定着部を入れ替えて使用する場合においても、画質が悪化することを抑制することができる。
【図面の簡単な説明】
【００１３】
【図１】画像形成装置の一例を示す断面図である。
【図２】制御系の構成の一例を示すブロック図である。
【図３】定着部の一例を示す断面図である。
【図４】電源スイッチがオンされてからスタンバイモードとなるまでのフローチャートである。
【図５】前扉が開いている状態からスタンバイモードとなるまでのフローチャートである。
【図６】立上げシークエンスのフローチャートである。
【図７】定着部でのジャム発生時の処理に関するフローチャートである。
【図８】（ａ）は本体メモリが保持している情報の一例を示す図であり、（ｂ）は定着器のメモリが保持している情報の一例を示す図であり、（ｃ）は定着器のメモリが保持している情報の一例を示す図である。
【図９】（ａ）は本体メモリが保持している情報の一例を示す図であり、（ｂ）は定着器のメモリが保持している情報の一例を示す図である。
【図１０】立上げシークエンス２のフローチャートである。
【図１１】定着器のメモリの情報に基づくシークエンスのフローチャートである。
【図１２】本体メモリの情報に基づくシークエンスのフローチャートである。
【図１３】定着部でのジャム発生時の処理に関するフローチャート２である。
【図１４】電源スイッチがオンされてからスタンバイモードとなるまでのフローチャート２である。
【図１５】前扉が開いている状態からスタンバイモードとなるまでのフローチャート２である。
【図１６】電源スイッチがオンされてからスタンバイモードとなるまでのフローチャート３である。
【図１７】前扉が開いている状態からスタンバイモードとなるまでのフローチャート３である。
【図１８】立上げシークエンスのフローチャート３である。
【図１９】定着部でのジャム発生時の処理に関するフローチャート３である。
【図２０】定着部でのジャム発生時の処理に関するフローチャート４である。
【発明を実施するための形態】
【００１４】
以下に、本発明の好ましい実施の形態を、添付の図面に基づいて詳細に説明する。ただし、この実施形態に記載されている構成要素はあくまで例示であり、本発明を実施形態に記載されたものだけに限定するものではない。
【００１５】
〔実施例１〕
（１．画像形成装置の全体的な構成）
図１は、画像形成装置の一例を示す断面図である。
【００１６】
ここでは、画像形成装置１００の全体的な構成について説明する。
【００１７】
画像形成装置１００は、記録材収納部１０３に収納された記録材１０２を画像形成部３０９（図２）へ搬送し、記録材１０２上にトナー像を形成する。尚、画像形成部３０９の詳細については後述する。
【００１８】
その後画像形成装置１００は、画像形成部３０９にてトナー像が形成された記録材１０２を定着部（第一定着器１５０、第二定着器１７０）へ搬送し、熱と圧力を加えることで記録材１０２上のトナー像を記録材１０２に定着する。尚、定着部の詳細については後述する。
【００１９】
片面印刷の場合、画像形成装置１００は、画像形成部３０９と定着部とを経て画像形成が完了した記録材１０２をフラッパ１３２が排出経路１３９へ導くことにより、画像形成装置１００の外側へ排出する。
【００２０】
一方、両面印刷の場合、画像形成装置１００は、片面の印刷を終えた記録材１０２を反転させて再度画像形成部３０９へと搬送する。具体的には、定着後の記録材１０２をフラッパ１３２が搬送経路１３４へと導き、反転部１３６へ搬送する。反転センサ１３５が記録材１０２の後端を検出すると、フラッパ１３３が記録材１０２の搬送方向を搬送経路１３７に切り替える。画像形成装置１００は、反転させた記録材１０２を搬送経路１３７を経て再び画像形成部３０９と定着部とへ搬送する。
【００２１】
両面の画像形成が完了した記録材１０２は、フラッパ１３２により排出経路１３９へと導かれ、画像形成装置１００の外側へ排出される。
【００２２】
ここでフラッパ１３２は、画像形成部３０９と定着部とを経た記録材１０２を搬送経路１３４へと搬送するか、画像形成装置１００の外側へ排出するかを切り替える切り替え部材である。
【００２３】
また記録材１０２は、画像形成装置１００によって画像が形成されるものであって、たとえば紙やＯＨＰ用シート等が挙げられる。
【００２４】
報知部や選択部として機能する操作部１８０は、表示画面と選択キーを備える。操作部１８０は、表示画面に画像形成装置１００の状態を表示したり、選択キーにより操作者からの動作の指示を受け付けたりする。
【００２５】
電源スイッチ１０１は、画像形成装置１００を起動する起動スイッチである。
【００２６】
また開閉部としての前扉１４０は、定着器（第一定着器１５０、第二定着器１７０）を装着部（第一装着部１４１、第二装着部１４２）に装着するための画像形成装置１００の本体の開口部に設けられた扉である。
【００２７】
また、画像形成装置１００は、前扉１４０が閉じられた状態であることを検知するためのセンサとして、開閉センサ（光学センサ）３０５（図２）を備える。開閉センサ３０５とＣＰＵ３０１（図２）は開閉検知部として機能する。前扉１４０には突起（不図示）が設けてあり、前扉１４０が閉じられることにより画像形成装置１００の本体の受け部（不図示）に差し込まれる。ＣＰＵ３０１は、突起が受け部に差し込まれたことに伴い開閉センサ３０５が出す信号を基に、前扉１４０が閉じられたことを検知する。一方、開閉センサ３０５からの信号が出力されていないときは、ＣＰＵ３０１は前扉１４０が開いていることを検知する。尚、前扉１４０が開いたことに伴い開閉センサ３０５が出す信号を基にＣＰＵ３０１は前扉１４０が開いたことを検知し、一方、開閉センサ３０５からの信号が出力されていないときは、ＣＰＵ３０１は前扉１４０が閉じていることを検知する構成としてもよい。
【００２８】
（２．制御系の構成）
図２は、制御系の構成の一例を示すブロック図である。
【００２９】
画像形成装置１００（図１）は、画像形成装置１００の動作を制御するためのＣＰＵ３０１、ＲＡＭ３０２、ＲＯＭ３０３等を備えている。
【００３０】
制御部として機能するＣＰＵ３０１は、ＲＯＭ３０３に記憶された制御プログラムを実行することにより、画像形成装置１００の基本制御を行う。後述するフローチャートの動作は、ＲＯＭ３０３に記憶された制御プログラムに基づいてＣＰＵ３０１により実行される。ＣＰＵ３０１は、制御プログラムの処理を実行するためのワークエリアとしてＲＡＭ３０２を使用する。
【００３１】
ＣＰＵ３０１は、ＲＡＭ３０２、ＲＯＭ３０３の他、制御対象となる各機構と電気的に接続している。
【００３２】
外部Ｉ／Ｆ部３０４はネットワーク（例えばＬＡＮやＷＡＮなど）を介して接続される外部装置と通信するための通信回路である。外部装置としては、例えばＰＣや他の画像形成装置等が挙げられる。
【００３３】
ＣＰＵ３０１は、開閉センサ３０５と接続しており、前扉１４０が閉じられた状態か否かを検知する。
【００３４】
センサ群３０６は、図１に示すセンサ１５３、１５５、１７３、１７５を含む搬送経路上の各センサのことであり、ＣＰＵ３０１が記録材の有無や通過を検知するためのセンサである。
【００３５】
また、ＣＰＵ３０１は、タイマー３０７と接続している。タイマー３０７は時間を測定する。後述するように、ジャムの検知やクリーニングの時間の計測に用いられる。
【００３６】
また、ＣＰＵ３０１は、時計３１３と接続している。時計３１３は、示す時刻を時刻情報として出力する出力部として機能する。ＣＰＵ３０１は、時計３１３が示す時刻の情報を取得する。
【００３７】
また、ＣＰＵ３０１は、カウンター３１４と接続している。カウンター３１４については実施例４において説明するので、ここでは説明を省略する。
【００３８】
また、ＣＰＵ３０１は、操作部１８０と接続している。ＣＰＵ３０１は、操作部１８０の選択キーを通して操作者から表示画面の表示内容の切り替えや動作の指示を受け付ける。また、ＣＰＵ３０１は、画像形成装置１００の動作状況や選択キーからの入力によって設定された動作モードなどの情報を、操作部１８０の表示画面に表示させる。
【００３９】
またＣＰＵ３０１は、搬送部３０８に接続しており、記録材１０２の搬送を制御する。搬送部３０８は、記録材収納部１０３から搬送経路へと記録材１０２を供給する供給部や、搬送経路の各フラッパ（図１に示すフラッパ１３１、１３２、１３３）等である。
【００４０】
またＣＰＵ３０１は後述する画像形成部３０９に接続しており、画像形成部３０９の制御を行う。
【００４１】
定着器メモリ３１０は、画像形成装置１００に装着されている第一定着器１５０が有するメモリ１５４と画像形成装置１００に装着されている第二定着器１７０が有するメモリ１７４である。ＣＰＵ３０１は、画像形成装置１００に装着されている第一定着器１５０や第二定着器１７０が有するメモリ１５４、１７４に接続しており、メモリ１５４、１７４への書き込みや読み込みを行う。
【００４２】
また、ＣＰＵ３０１は識別部材３１１に接続している。識別部材３１１については変形例において説明するので、ここでは説明を省略する。
【００４３】
また、ＣＰＵ３０１は本体メモリ３１２に接続している。本体メモリ３１２は書き換え可能な不揮発性のメモリであり、ＲＡＭ３０２と一体であってもよい。
【００４４】
また、ＣＰＵ３０１は、画像形成装置１００に装着されている第一定着器１５０が有する機構群Ｘに接続しており、第一定着器１５０の温度調整制御（以下、温調とも呼ぶ。）やクリーニングの制御を行う。機構群Ｘは、温度センサ３２０、ヒーター３２１、接離機構３２２、モータ３２３、ソレノイド３２４、ウェブ着脱機構３２５を示す。
【００４５】
ここで、温度センサ３２０は、第一定着器１５０が有する複数の温度センサであり、サーミスタ１６２（図３）と、加圧ベルト１５２のサーミスタ（不図示）とを含む。
【００４６】
ここで、ヒーター３２１は、第一定着器１５０が有する複数のヒーターであり、ハロゲンヒーター１６１（図３）と、加熱ローラ１６３の内部のハロゲンヒーター（不図示）とを含む。
【００４７】
また、ＣＰＵ３０１は、画像形成装置１００に装着されている第二定着器１７０の機構群Ｘに接続しており、第二定着器１７０の温度調整制御（以下、温調とも呼ぶ。）やクリーニングの制御を行う。第二定着器１７０の機構群Ｘについては、第一定着器１５０の機構群Ｘと同様であるから、同じ符号を付すことにより説明を省略する。（上述の機構群Ｘの説明においては、第一定着器１５０を第二定着器１７０に、加圧ベルト１５２を加圧ローラ１７２に、加熱ローラ１６３を加圧ローラ１７２に、それぞれ置き換えて読めばよい。）
本実施例では、各機構をＣＰＵ３０１が制御する。しかしながら、たとえばそれぞれの機構の動作を制御する複数のＣＰＵ回路部と、複数のＣＰＵ回路部に接続して全体を制御するメインのＣＰＵ回路部と、で構成してもよい。
【００４８】
（３．画像形成部）
画像形成装置１００は、画像形成部３０９（図２）として、ステーション１２０、１２１、１２２、１２３と、中間転写体としての中間転写ベルト１１５と、転写部としての転写ローラ１１６とを備える（図１）。
【００４９】
ステーション１２０、１２１、１２２、１２３は、それぞれイエロー、マゼンタ、シアン、ブラックのトナー像を形成して中間転写ベルト１１５に形成する。
【００５０】
ステーション１２０の構成を説明する。像担持体としての感光ドラム１１０は、図１において反時計回りに回転する。帯電部としての一次帯電器１１１は感光ドラム１１０を一様の表面電位に帯電する。露光部としてのレーザユニット１１２は、レーザ光を出力する光源１１３を有しており、感光ドラム１１０上に原稿画像に応じた静電潜像を形成する。現像部としての現像器１１４は、トナーを用いて感光ドラム１１０上に形成された静電潜像を現像してトナー像を形成する。ステーション１２１、１２２、１２３の構成はステーション１２０と同様であるから、説明を省略する。
【００５１】
ステーション１２０、１２１、１２２、１２３が形成したトナー像は、中間転写ベルト１１５上に転写される。転写ローラ１１６は、中間転写ベルト１１５上のトナー像を記録材収納部１０３から搬送される記録材１０２に転写する。
【００５２】
（４．定着部）
（４．１．タンデム定着）
定着部としての第一定着器１５０および第二定着器１７０は、記録材１０２に熱と圧力を加えることで記録材１０２に転写されたトナー像を記録材１０２に定着する（図１）。
【００５３】
第二定着器１７０は、第一定着器１５０よりも記録材１０２の搬送方向に対して下流側に配置されている。第二定着器１７０は、第一定着器１５０が定着した記録材１０２上のトナー像に光沢を付与したり、定着処理に多くの熱量を必要とする坪量の大きな記録材（たとえば厚紙など）に対して第一定着器１５０だけでは不足する熱量を補ったりする目的で使用される。
【００５４】
一方、第一定着器１５０だけで定着が可能な場合には第二定着器１７０を用いなくてよいので、エネルギー消費量低減の目的で記録材１０２は第二定着器１７０を経由せずに搬送経路１３０にて搬送される。例えば、記録材１０２が普通紙や薄紙の場合であって、光沢を多く付加する設定がされていない場合などである。第二定着器１７０に記録材１０２を搬送する（タンデム定着ルート）か、第二定着器１７０を迂回して記録材１０２を搬送する（バイパスルート）かは、ＣＰＵ３０１がフラッパ１３１を切り替えることで制御する。
【００５５】
（４．２．定着器の構成）
第一定着器１５０および第二定着器１７０は、それぞれ画像形成装置１００に設けられた第一装着部１４１および第二装着部１４２（装着部）に着脱可能に設けられている。第一定着器１５０および第二定着器１７０は、それぞれ以下の構成を有する定着器へ、交換することが可能である。
【００５６】
第一定着器１５０には、定着器の記憶部（定着記憶部）としてのメモリ１５４が設置されている。第二定着器１７０には、定着器の記憶部（定着記憶部）としてのメモリ１７４が設置されている。詳しくは後述する。
【００５７】
また、ジャム検知部として、第一定着器１５０にはセンサ１５３、１５５が、第二定着器１７０にはセンサ１７３、１７５が設けられている。詳しくは後述する。
【００５８】
図３は定着部の一例を示す断面図である。図３を基に、第一定着器１５０の詳細な構成について説明する。
【００５９】
第一定着器１５０は定着ローラ１５１（定着部材）と加圧ベルト１５２（加圧部材）を有しており、これらが記録材１０２上のトナー像を定着処理するためのニップ部を形成する。
【００６０】
定着ローラ１５１は、中空ローラであり、その内部に加熱源としてハロゲンヒーター１６１を内蔵している。温度検知部としてのサーミスタ１６２は定着ローラ１５１の温度を測るセンサである。ＣＰＵ３０１はサーミスタ１６２により検出された温度の情報を基にハロゲンヒーター１６１のＯＮ／ＯＦＦを制御する。これは、定着ローラ１５１の温度を所定の温度に維持、調整するためである。尚、所定の温度には誤差を含む。
【００６１】
加圧ベルト１５２は、３つのローラに支持される無端状のベルトである。加圧ベルト１５２の内周面には、加圧ベルト１５２を定着ローラ１５１に向けて押圧する加圧パッド１６４が設けられている。３つのローラのうちの１つである加熱ローラ１６３は中空ローラであり、その内部に加熱源としてのハロゲンヒーター（不図示）を内蔵しており、加圧ベルトを加熱する。加圧ベルト１５２も定着ローラ１５１と同様に、温度を測るセンサとしてのサーミスタ（不図示）による検出温度情報を基に加熱ローラ１６３のハロゲンヒーター（不図示）をＣＰＵ３０１が制御する。その結果、加圧ベルト１５２の温度が所定の温度に維持、調整される。
【００６２】
定着ローラ１５１は駆動源としてのモータ３２３（図２）により回転駆動され、図３の矢印Ａの方向に記録材１０２を搬送する。加圧ベルト１５２は定着ローラ１５１に従動回転する構成となっている。
【００６３】
また、第一定着器１５０は、定着ローラ１５１と加圧ベルト１５２とが当接してニップ部を形成する当接状態と離間する状態とを取り得るように加圧ベルト１５２を移動させる接離機構３２２（図２）を有する。尚、本実施例では、接離機構３２２は加圧ベルト１５２を移動させるが、定着ローラ１５１を移動させる構成としてもよいし、定着ローラ１５１と加圧ベルト１５２との両方を移動させる構成としてもよい。
【００６４】
一方、第二定着器１７０は、加圧部材として加圧ベルトではなく加圧ローラ１７２を有し、定着ローラ１７１（定着部材）と加圧ローラ１７２（加圧部材）が記録材１０２上のトナー像を定着処理するためのニップ部を形成する（図１）。加圧ローラ１７２は、中空ローラであり、内部に加熱源としてのハロゲンヒーター（不図示）を内蔵している。また、加圧ローラ１７２は温度センサとしてサーミスタ（不図示）を備える。ＣＰＵ３０１がサーミスタ（不図示）とハロゲンヒーター（不図示）とを制御することにより、加圧ローラ１７２の温度が所定の温度に維持、調整される。
【００６５】
第二定着器１７０のその他の構成は第一定着器１５０と同様であるから、説明は省略する。
【００６６】
また、以下の説明においても、第一定着器１５０を用いて説明するが、特に断りがない限り第二定着器１７０においても同様である。（この場合、第一定着器１５０に係る構成を第二定着器１７０に係る構成に置き換えて読めばよい。）
尚、本実施例では、第一定着器１５０と第二定着器１７０とで加圧側の構成が異なるが、同じ構成としてもよい。すなわち、第一定着器１５０と第二定着器１７０の両方の加圧側の構成が加圧ベルトであってもよいし、第一定着器１５０と第二定着器１７０の両方の加圧側の構成が加圧ローラであってもよい。また、第一定着器１５０の加圧側の構成を加圧ローラとし、第二定着器１７０の加圧側の構成を加圧ベルトとしてもよい。
【００６７】
（４．３．ウェブクリーナーの構成）
次に定着部材をクリーニングするウェブクリーナーについて第一定着器１５０を例に説明する。尚、第二定着器１７０においても同様であるので、説明を省略する。
【００６８】
このウェブクリーナーは、巻き取りローラ１５７、押圧ローラ１５８、供給ローラ１５９、ウェブ１６０、回収ローラ１５６を有しており、定着ローラ１５１を清掃するクリーニング部として機能する。
【００６９】
回収回転体としての回収ローラ１５６（例えば、ＳＵＳ製のローラ）は、定着ローラ１５１に従動回転しており、定着ローラ１５１の表面に付着したトナーを回収する。
【００７０】
ウェブ１６０は、不織布からなるクリーニングウェブである。未使用のウェブ１６０をスタックする供給ローラ１５９は、巻き取りローラ１５７に従動してウェブ１６０を供給する。押圧ローラ１５８は、回転自在に設けられ、ウェブ１６０を回収ローラ１５６に所定のニップ幅で押しつける。また、ウェブ着脱機構３２５（図２）は、押圧ローラ１５８を移動させることにより、ウェブ１６０が回収ローラ１５６に当接する当接状態（着状態）と、離間する離間状態（脱状態）とを取り得るようにする。
【００７１】
巻き取りローラ１５７は、駆動源としてのソレノイド３２４（図２）を有して、供給ローラ１５９から供給されるウェブ１６０を断続的に巻き取り、回収ローラ１５６にウェブを摺擦させる。制御はＣＰＵ３０１が行う。例えば、１回あたり長さ０．１ｍｍのウェブ１６０の巻き取りを１秒間に２回行うなどである。これにより、回収ローラ１５６が定着ローラ１５１から回収したトナーをウェブ１６０が取り除く。定着ローラ１５１に従動回転する回収ローラを介することで、ウェブ１６０が定着ローラ１５１の表面を直接摺擦して傷付けることがない。結果、定着ローラ１５１の表面粗さによる被定着物の光沢性の低下を抑制することができる。
【００７２】
尚、本実施例では回収回転体を用いたが、回収回転体を用いず、ウェブ１６０が定着ローラ１５１表面を直接摺擦しても、定着ローラ１５１をクリーニングできる。
【００７３】
（５．ジャムの発生時の対応）
次に、画像形成装置１００内でジャムが発生した際の対応について説明する。
【００７４】
尚、定着部でのジャムとは、画像形成装置１００内でのジャムの発生に伴って、第一定着器１５０及び／又は第二定着器１７０において記録材１０２が滞留している状態を指す。
【００７５】
例えば、第一定着器１５０においてジャムが発生した場合の他、画像形成装置１００内の第一定着器１５０以外の場所で発生したジャムに伴って記録材１０２の搬送が滞り、第一定着器１５０内に記録材１０２が滞留した場合である。また例えば、第一定着器１５０で定着処理中に、操作者による画像形成装置１００の本体に備えられた扉（例えば前扉１４０）の開放により、画像形成装置１００の動作が停止し、第一定着器１５０内に記録材１０２が滞留した場合である。尚、第二定着器１７０においても同様である。
【００７６】
以下、第一定着器１５０を例に詳細に説明する。
【００７７】
尚、第二定着器１７０においても同様であるので、説明を省略する。この場合、以下の説明箇所において、第一定着器１５０に係る構成を第二定着器１７０に係る構成に置き換えて読めばよい。
【００７８】
ＣＰＵ３０１は、画像形成装置１００内のセンサ群３０６（センサ１５３、１５５を含む。）からの信号により、画像形成装置１００内でのジャムの発生を検知すると、画像形成装置１００の画像形成を停止させる。このとき、第一定着器１５０に記録材１０２が滞留していると、定着部でのジャムとなる。すなわち、ジャムの発生箇所は第一定着器１５０以外であっても、定着部でのジャムとなる。その後、ＣＰＵ３０１は、操作部１８０に記録材１０２の滞留箇所を表示することにより、操作者に滞留している記録材１０２を除去（ジャム処理）するように促す。尚、以下では、第一定着器１５０における定着部でのジャムを第一定着器１５０でのジャムと称することがある。
【００７９】
ここで、ジャム検知部としてのセンサ１５３、１５５は、第一定着器１５０での記録材１０２の有無を検知するためのセンサである。例えば光学センサが用いられる。ＣＰＵ３０１は、センサ１５３や１５５の信号を受け取り、記録材１０２が第一定着器１５０に滞留していること（定着部でのジャム）を検知する。例えば、記録材１０２の搬送方向上流側のセンサ１５５が記録材１０２の通過を検出してから所定の時間経っても下流側のセンサ１５３が記録材１０２の通過を検出しない場合、ＣＰＵ３０１はセンサ１５５、１５３間に記録材１０２が滞留していると判定する。ここで、所定の時間はタイマー３０７が計測する。
【００８０】
第一定着器１５０に記録材１０２が滞留していた場合、操作者は前扉１４０を開けて、第一定着器１５０を画像形成装置１００から外側へ引き出し、滞留している記録材１０２を除去する。そして、操作者は滞留している記録材１０２を除去したら、第一定着器１５０を引き出し時とは逆方向へ移動させて画像形成装置１００の内部にセットし、前扉１４０を閉じる。
【００８１】
ＣＰＵ３０１は、開閉センサ３０５からの信号により、前扉１４０が閉じられたことを検知する。ＣＰＵ３０１は前扉１４０が閉じられたことを検知したことに伴い、第一定着器１５０のメモリ１５４にアクセスする。これより第一定着器１５０が装着されているかを確認する。ＣＰＵ３０１はメモリ１５４にアクセスできなれば、第一定着器１５０が装着されていないと判定する。
【００８２】
尚、第一定着器１５０が装着されているか否かの判定（確認）方法はこれに限らない。例えば、メモリ以外のＣＰＵ３０１からの入力信号に応じて信号を出力する信号出力部を第一定着器１５０に設ける構成としてもよい。ＣＰＵ３０１は、前扉１４０が閉じられたことを検知したことに伴い、この信号出力部へ信号を入力する。ＣＰＵ３０１は、信号出力部への信号の入力に伴って出力される信号を検出することにより第一定着器１５０が装着されていることを確認する方法でも良い。ＣＰＵ３０１は、信号出力部への信号の入力に伴って出力される信号を検出できなければ第一定着器１５０が装着されていないと判定する。
【００８３】
また、例えば、画像形成装置１００と第一定着器１５０との間の導通状態あるいは非導通状態を検知することにより判定（確認）する構成としてもよい。
【００８４】
また、例えば、第一定着器１５０が装着されている場合に信号を出力するセンサを画像形成装置１００に設け、ＣＰＵ３０１はそのセンサからの信号を基に第一定着器１５０が装着されていることを確認する構成としてもよい。
【００８５】
次に、ＣＰＵ３０１は、センサ１５３、１５５からの信号によって第一定着器１５０に滞留している記録材１０２の有無を確認する。このとき、ＣＰＵ３０１は、第一定着器１５０に記録材１０２が滞留していなければジャム処理が完了したと判定する。
【００８６】
このように、第一定着器１５０でのジャム（定着部でのジャム）が発生すると、すなわち第一定着器１５０に記録材１０２が滞留した状態となると、滞留した記録材１０２の未定着トナーが付着し、定着ローラ１５１が汚れてしまう恐れがある。具体的には、記録材１０２が定着ローラ１５１に巻きつくようにして滞留した場合や、操作者が滞留した記録材１０２を取り除くときに記録材１０２が定着ローラ１５１に擦れてしまう場合等にその恐れがある。
【００８７】
そのため、ＣＰＵ３０１は、第一定着器１５０のジャム処理の完了を確認した後、後述の第一定着器１５０のクリーニング処理を実行させる。
【００８８】
（６．ジャムの解消に伴うクリーニング処理）
定着部でのジャムが解消されたことに伴って実行部としてのＣＰＵ３０１が実行させる定着部のクリーニング処理について、第一定着器１５０を例に説明する。
【００８９】
尚、第二定着器１７０においても同様であるので、説明を省略する。この場合、以下の説明箇所において、第一定着器１５０に係る構成を第二定着器１７０に係る構成に置き換えて読めばよい。
【００９０】
まず、クリーニング処理を開始する前に、定着ローラ１５１の回転を停止させたまま定着ローラ１５１の温度を約１６５℃になるまで加熱する。つまりＣＰＵ３０１は、サーミスタ１６２による検出温度情報に基づいて、ハロゲンヒーター１６１への通電を制御する。このとき、加圧ベルト１５２は回転を停止した状態で定着ローラ１５１から離間している。つまり、ＣＰＵ３０１は、加圧ベルト１５２が定着ローラ１５１から離間した状態を維持するように、接離機構３２２の動作を制御する。尚、このときの定着ローラ１５１の目標温度（本例では約１６５℃）はトナーが固まらない程度の温度であり、予め設定されている（ＲＯＭ３０３に格納されている）。尚、この温度は装置や使用するトナーの構成に応じて適宜設定すればよい。
【００９１】
定着ローラ１５１が約１６５℃まで加熱されたら、クリーニング処理を開始する。ＣＰＵ３０１は、サーミスタ１６２による検出温度が約１６５℃になったことを受けて、モータ３２３を動作させる。すると、定着ローラ１５１は回転を開始し、回収ローラ１５６を従動回転させる。これにより回収ローラ１５６が定着ローラ１５１上のトナーを回収する。さらに、ＣＰＵ３０１は、ソレノイド３２４を動作させることにより、上述した巻き取りローラ１５７による断続的な巻き取りを１００秒間実行させる。例えば、１回あたり長さ０．１ｍｍのウェブ１６０の巻き取りを１秒間に２回のペースで行わせる。このとき、ＣＰＵ３０１は、ウェブ１６０が回収ローラ１５６に当接した状態を維持するようにウェブ着脱機構３２５を制御する。これによりウェブ１６０は、回収ローラ１５６が定着ローラ１５１から回収したトナーを取り除く。さらにこのとき、ＣＰＵ３０１は、定着ローラ１５１の温度が約１６５℃を維持するように、サーミスタ１６２による検出温度情報に基づいて、ハロゲンヒーター１６１への通電を制御する。また、定着ローラ１５１から加圧ベルト１５２へのトナーの転移を防ぐため、ＣＰＵ３０１は、定着ローラ１５１と加圧ベルト１５２は離間した状態を維持するように、接離機構３２２の動作を制御する。
【００９２】
ここで、ウェブ１６０の巻き取り時間（本実施例では１００秒）は画像形成装置１００に内蔵されたタイマー３０７が計測する。尚、巻き取り時間の計測は、ＣＰＵ３０１が時計３１３の出力する時刻を基にカウントする構成としてもよい。
【００９３】
定着ローラ１５１上のトナーを除去するのに適したウェブ１６０の巻き取り時間（本実施例では１００秒）は予め設定されている（ＲＯＭ３０３に格納されている）。尚、この時間は、上述の例に限らず、装置の構成に応じて適宜設定すればよい。
【００９４】
（７．ウォームアップ処理）
定着部のクリーニング処理が終了したら、ＣＰＵ３０１は定着部が定着処理を開始するためのウォームアップ処理を実行させる。このウォームアップ処理は、上述したクリーニング処理が実行されない場合でも、画像形成装置１００の電源スイッチ１０１がＯＮになったときなどに実行される。
【００９５】
以下、第一定着器１５０を例に説明する。
【００９６】
尚、第二定着器１７０においても同様であるので、説明を省略する。この場合、以下の説明箇所において、第一定着器１５０に係る構成を第二定着器１７０に係る構成に置き換えて読めばよい。
【００９７】
まず、ＣＰＵ３０１は、上述したクリーニング処理の終了に伴い、ハロゲンヒーター１６１を制御して定着ローラ１５１の温度を約１６５℃になるまで加熱する。このとき、定着ローラ１５１の回転は停止させた状態である。つまり、ＣＰＵ３０１はモータ３２３を動作させない。また、ＣＰＵ３０１は加熱ローラ１６３の内部のヒーターを動作させない。また、ＣＰＵ３０１は、加圧ベルト１５２が定着ローラ１５１と当接した状態を維持するように、接離機構３２２の動作を制御する。これは定着ローラ１５１の熱を利用して加圧パッド１６４を加熱することが目的である。
【００９８】
ＣＰＵ３０１は、定着ローラ１５１が約１６５℃まで加熱されたら、定着ローラ１５１の回転をさせながら、加熱ローラ１６３の内部のヒーターを制御して加圧ベルト１５２を約１００℃まで昇温させる。つまり、ＣＰＵ３０１は、サーミスタ１６２による検出温度が約１６５℃になったことを受けて、モータ３２３と加熱ローラ１６３の内部のヒーターを動作させる。このとき、ＣＰＵ３０１は、定着ローラ１５１と加圧ベルト１５２とが当接した状態を維持するように接離機構３２２の動作を制御しており、加圧ベルト１５２は従動回転する。このとき、たとえば印刷中などに定着ローラ１５１に付着したわずかなトナーを除去するために、ウェブ１６０を回収ローラ１５６に当接させた状態とし、巻き取りローラ１５７による断続的な巻き取りを実行させてもよい。
【００９９】
ＣＰＵ３０１は、加圧ベルト１５２が約１００℃まで加熱されたら、接離機構３２２を制御して定着ローラ１５１と加圧ベルト１５２を離間させる。ＣＰＵ３０１は、サーミスタ１６２による検出温度情報に基づいて、ハロゲンヒーター１６１への通電を制御することにより、定着ローラ１５１を約１７０℃に加熱する。このとき、ＣＰＵ３０１は、加圧ベルト１５２が約１００℃を維持するように、加圧ベルト１５２の温度を検知するサーミスタによる検出温度情報に基づいて、ハロゲンヒーター１６１への通電を制御する。尚、操作部１８０などへの操作者からの入力等によってウォームアップ後に印刷する記録材１０２の種類が指定済みの場合（印刷ジョブが予約されている場合）には、定着ローラ１５１の目標温度を印刷する記録材１０２の定着処理に必要な温度としてもよい。
【０１００】
尚、ウォームアップ処理における定着ローラ１５１や加圧ベルト１５２の目標温度（本例では約１６５℃、約１００℃、約１７０℃）は予め設定されている（ＲＯＭ３０３に格納されている）。この温度は装置の構成に応じて適宜設定すればよい。
【０１０１】
第一定着器１５０のウォームアップ処理が完了すると、画像形成装置１００は画像形成が開始可能な状態となる。このとき画像形成装置１００は画像形成を開始することが可能な状態とするため、画像形成部３０９などの他の部分の立上げ処理も並行して行うが、第一定着器１５０のウォームアップ処理が完了するまでには完了している。この第一定着器１５０のウォームアップ処理は長いと７分程度の時間を要する。尚、第二定着器１７０におけるウォームアップ処理も同様であり、第一定着器１５０とおおよそ同じ時間でウォームアップ処理が完了する。
【０１０２】
（８．ジョブの再開）
以上のように、第一定着器１５０のウォームアップ処理が完了し画像形成装置１００が画像形成を開始することが可能な状態となったことに伴い、ＣＰＵ３０１はジャムの発生により中断していた印刷を再開させる。ＣＰＵ３０１は操作部（報知部）１８０に「印刷中です」などの表示を行う。
【０１０３】
尚、もし、第一定着器１５０のウォームアップ処理が完了しても画像形成部３０９などの第一定着器１５０以外の部分の立上げ処理が完了していない場合には、ＣＰＵ３０１は第一定着器１５０以外の部分の準備が完了するのを待ってから印刷を再開させる。
【０１０４】
尚、第二定着器１７０においても同様である。
【０１０５】
（９．スタンバイモード）
スタンバイモードとは、画像形成装置１００が画像形成を開始することが可能な状態であって、操作者からの印刷命令（印刷ジョブ）を待っている状態の期間を指す。上述したウォームアップ処理後に再開するジョブがない場合や、印刷の終了後などにスタンバイモードへと移行する。
【０１０６】
画像形成装置１００が画像形成を開始することが可能な状態となったことに伴い、ＣＰＵ３０１は、操作部（報知部）１８０に「印刷できます」などの表示を行う。
【０１０７】
本実施例では、スタンバイモードとなっているとき、印刷ジョブを受け付けてからすぐに印刷が開始できるように、第一定着器１５０と第二定着器１７０での温調（例えば定着ローラ１５１や加圧ベルト１５２の温調）を継続させている。
【０１０８】
尚、ウォームアップ処理中に印刷予約が入った場合には、スタンバイモードに移行させることなく予約された印刷ジョブを直ちに開始させる。すなわち、この場合、第一定着器１５０と第二定着器１７０のウォームアップ処理が完了して画像形成装置１００が画像形成を開始可能な状態となったことに伴い、スタンバイモードに移行させることなく予約された印刷ジョブを直ちに開始させる。
【０１０９】
尚、もし、第一定着器１５０と第二定着器１７０のウォームアップ処理が完了しても画像形成部３０９などの他の部分の立上げ処理が完了していない場合には、ＣＰＵ３０１は他の部分の準備が完了するのを待ってからスタンバイモードへと移行する。
【０１１０】
（１０．定着器の載せ替えシステム）
定着器の載せ替えシステムについて説明する。
【０１１１】
本実施例の画像形成装置１００では、より高品質な成果物を得るために、定着する記録材１０２の種類や好みに応じて使用目的の異なる定着器を入れ替えて使用することができる。
【０１１２】
例えば、記録材１０２として封筒を使用するときには封筒専用の定着器を用いる。封筒は袋状に綴じられていることから、定着処理時に与える圧により皺が発生しやすい。そのため、定着ローラ１５１と加圧ベルト１５２間の圧力（以下、ニップ圧とも呼ぶ）を封筒に合わせて調整された封筒専用の定着器を用いることが望ましい。
【０１１３】
他の例として、幅サイズ専用の定着器が挙げられる。同じ幅の記録材１０２が連続してニップ部を通過すると、記録材１０２の幅方向の端部（コバ、と称する。）により定着ローラ１５１の表面にコバによる傷（コバ傷）が生じてしまう。このように定着ローラ１５１に無視できないレベルのコバ傷が形成されてしまうと、これよりも幅広な記録材１０２に定着する際、コバ傷に起因して画像のグロスムラが生じてしまう恐れがある。これを防ぐため、同じ構成の定着器を記録材１０２の幅サイズごとに載せ替えて使い分ける場合がある。（ここで、幅とは記録材１０２の搬送方向に垂直な方向（定着ローラ１５１の長手方向）を指す。）
尚、第一定着器１５０を例に説明したが、第二定着器１７０においても同様である。
【０１１４】
このように、本実施例の画像形成装置１００ならば、操作者は、自身が印刷したい記録材１０２の種類や好みに応じた定着器に入れ替えて使用することが可能である。
【０１１５】
定着器を入れ替える場合、操作者は前扉１４０を開けて、既に画像形成装置１００に装着されている定着器を取り出す。そして操作者は取り出した定着器とは別の定着器を画像形成装置１００に装着して、前扉１４０を閉じる。本実施例では、以上のように載せ替えることができる定着器は、第一定着器１５０、第二定着器１７０の双方となっている。
【０１１６】
（１１．定着器のメモリ）
本実施例では、定着器の載せ替えシステムを採用していることから、第一定着器１５０に定着器の記憶部（定着記憶部）及び識別部としてのメモリ１５４を設けている。同様に、第二定着器１７０に定着器の記憶部（定着記憶部）及び識別部としてのメモリ１７４を設けている。メモリ１５４、１７４は、ＥＥＰＲＯＭ、フラッシュメモリなどに代表される書き換え可能な不揮発性のメモリである。さらに、画像形成装置１００に装着された状態にある第一定着器１５０と第二定着器１７０だけでなく、載せ替え用の定着器として画像形成装置１００外に用意されている定着器にも同様にメモリが設けられている。
【０１１７】
これらのメモリ（メモリ１５４、メモリ１７４、載せ替え用の定着器に設けられているメモリ）は、互いを識別するための識別情報が記憶されており、識別部として機能する。尚、以下では、第一定着器１５０のメモリ１５４が記憶している識別情報を、「第一定着器１５０（定着器）のＩＤ」と称して説明する。
【０１１８】
ここで、第一定着器１５０と第二定着器１７０を含む定着器群にメモリを設けた理由は、以下の問題を解決するためである。つまり、定着部でのジャムの解消に伴って行われるべきクリーニング処理が行われないまま、定着器が一旦取り出されてしまい、さらにこの取り出された定着器が画像形成装置１００に再度装着された場合に生じる問題を解決するためである。
【０１１９】
以下では、その詳細について、具体的に想定されるシチュエーションの２つの例に沿って説明する。尚、第一定着器１５０を例に説明するが、第二定着器１７０においても同様であるので、説明を省略する。
【０１２０】
１つめのシチュエーション（シチュエーション１）について説明する。載せ替え対象が第一定着器１５０のケースである。
【０１２１】
たとえば、第一定着器１５０として封筒専用ではない定着器Ａが装着されている場合において、印刷完了までに１時間以上かかるような印刷ジョブ（例えば、普通紙への画像形成）を開始する。ところが、この印刷ジョブの開始１５分後などの初期段階で定着器Ａでのジャム（定着部でのジャム）が発生してしまったとする。ジャムの発生に気付いた操作者は操作部１８０の表示に従ってジャム処理を行う。しかしながら、急遽封筒の印刷が必要になった場合、定着器Ａでの印刷ジョブを中断し、封筒の印刷に取り掛かることが想定される。この場合操作者は、封筒専用の定着器Ｂへ入れ替えるために、ジャム処理のタイミングで、クリーニング処理が実行されないまま定着器Ａを取り出す。
【０１２２】
従来、ＣＰＵは定着部でのジャムが発生したことを画像形成装置の本体に設けられたメモリに記憶しておくことで、ジャム処理後にクリーニング処理を実行させている。したがって、ジャム処理のタイミングで定着器Ａから定着器Ｂに入れ替えられてしまうと、ＣＰＵは、載せ替え後の定着器Ｂに対してだけクリーニング処理を実行させることになる。つまり、ＣＰＵは定着部でのジャムの解消に伴って行われるべきクリーニング処理を終えたと判定してしまうことになる。
【０１２３】
後日、封筒以外の記録材（例えば、普通紙）の印刷をしようとする場合、操作者は再度定着器Ａを装着することになる。クリーニング処理が実行されないまま取り出されてしまった定着器Ａの定着ローラはトナーで汚れたままの状態である。この状態で印刷が行われてしまうと、画像品質が大きく低下しまうことになる。
【０１２４】
このシチュエーション１で生じる問題を解決する方法の１つとして、画像形成装置の本体に設けられたメモリに、定着部でのジャムの解消に伴って行われるクリーニング処理が実行されたか否かの情報を、定着器のＩＤ毎に記憶させておく方法が考えられる。（この方法を、方法１と称する。）
この方法１の場合、シチュエーション１において、画像形成装置の本体に設けられたメモリは“定着器Ａ”に対するクリーニング処理が実行されていないことを記憶することができる。その結果、載せ替え後の定着器Ｂではなく、クリーニング処理が実行されないまま取り出され、その後再装着された定着器Ａにクリーニング処理を実行させることができる。
【０１２５】
しかしながら、画像形成装置の本体に設けられたメモリに、定着部でのジャムの解消に伴って行われるクリーニング処理が実行されたか否かの情報を、定着器のＩＤ毎に記憶させておくだけでは不十分な場合がある。
【０１２６】
例えば、他の画像形成装置１００において定着部でのジャムが発生した定着器が、クリーニング処理が実行されないまま画像形成装置１００に装着された場合である。
【０１２７】
具体的には、以下のシチュエーション２が想定される。
【０１２８】
ユーザが２台の画像形成装置１００（画像形成装置Ｐと画像形成装置Ｑ）を所有しており、定着器Ａは、第一定着器１５０として画像形成装置Ｐ、Ｑのどちらの装置でも使用できる。載せ替え対象が第一定着器１５０のケースである。
【０１２９】
定着器Ａは画像形成装置Ｐにおいて、クリーニング処理が実行済みであるとする。
【０１３０】
その翌日、操作者は、クリーニング処理が実行済みの定着器Ａを画像形成装置Ｐから取り外して画像形成装置Ｑに装着する。定着器Ａは画像形成装置Ｑの第一定着器１５０として使用されるとする。
【０１３１】
ところが、画像形成装置Ｑの画像形成中に、定着器Ａでのジャム（定着部でのジャム）が発生し、シチュエーション１と同様に、操作者は、ジャム処理のタイミングで、クリーニング処理が実行されないまま定着器Ａを画像形成装置Ｑから取り出したとする。つまり、クリーニング処理が実行されないまま取り出されてしまった定着器Ａの定着ローラはトナーで汚れたままの状態である。
【０１３２】
その後、操作者は、クリーニング処理が実行されないままの定着器Ａを画像形成装置Ｐに装着し、再び画像形成装置Ｐの第一定着器１５０として使用しようとしたとする。
【０１３３】
仮に、上述の方法１を採用した場合、画像形成装置Ｐの本体のメモリは、定着器Ａに対してクリーニング処理が実行済みであることを示す情報を保持している。しかしながら実際には、画像形成装置Ｐに再装着された定着器Ａは、画像形成装置Ｑにおいて発生した定着部でのジャムの解消に伴うクリーニング処理が実行されていない。この場合、画像形成装置ＰのＣＰＵが、画像形成装置Ｐの本体のメモリの情報に基づき、定着器Ａに対するクリーニング処理を実行させないまま印刷を実行させると、画像品質が大きく低下してしまうことになる。
【０１３４】
そこで、本実施例では、第一定着器１５０に、情報を記憶可能な定着記憶部としてメモリ１５４を設けている。そして、メモリ１５４と本体メモリ３１２の両方に定着部でのジャムの解消に伴って行われるクリーニング処理が実行されたか否かを示す情報（以下、クリーニング情報と称する。）を保持させる構成としている。
【０１３５】
第一定着器１５０のメモリ１５４は、クリーニング情報と、クリーニング情報がメモリ１５４に記録された時刻（日時）の情報とを保持する。さらに、メモリ１５４には、他の定着器と識別するための識別情報として、定着器のＩＤ（例えば、“定着器Ａ”）を保持しており、メモリ１５４は識別部として機能する。
【０１３６】
一方、情報を記憶可能な本体記憶部として本体メモリ３１２が画像形成装置１００に設けられている。本体メモリ３１２には、メモリ１５４に記録するのと同じ内容を示すクリーニング情報と、クリーニング情報がメモリ１５４に記録された時刻の情報と、第一定着器１５０の定着器のＩＤと、を対応付けて保持させるようにする。
【０１３７】
ここで、時刻の情報は、メモリ１５４が記憶しているクリーニング情報と本体メモリ３１２が記憶しているクリーニング情報のうち、どちらのクリーニング情報に基づくかを判定するために記憶させている。ＣＰＵ３０１は、本体メモリ３１２とメモリ１５４が保持しているクリーニング情報のうち、より新しい方のクリーニング情報に基づいて、クリーニング処理を実行させる。
【０１３８】
具体的には、ＣＰＵ３０１は、画像形成装置１００に装着された第一定着器１５０のメモリ１５４が記憶している時刻と、本体メモリ３１２が記憶している時刻とを比較し、どちらの時刻がより新しい時刻かを判定する。ＣＰＵ３０１は、より新しい時刻と判定した時刻に対応付けられたクリーニング情報が、定着部でのジャムの解消に伴って行われるクリーニング処理が未実行であることを示す場合、クリーニング処理を実行させる。
【０１３９】
クリーニング情報として、具体的には、本体メモリ３１２とメモリ１５４に“履歴あり”又は“履歴なし”というジャム履歴の情報を保持させる。第一定着器１５０でのジャムが発生したことに伴い、ＣＰＵ３０１は、本体メモリ３１２とメモリ１５４にジャム履歴を記録する（“履歴あり”）。ジャムの解消に伴って行われるクリーニング処理が実行されたら、ＣＰＵ３０１は、本体メモリ３１２とメモリ１５４のジャム履歴をクリアする（“履歴なし”）。“履歴あり”は、クリーニング処理が未実行であることを示し、“履歴なし”は、クリーニング処理が実行済みであることを示している。
【０１４０】
図８（ａ）は本体メモリが保持している情報の一例を示す図である。図８（ｂ）、（ｃ）は、それぞれ、定着器のメモリが保持している情報の一例を示す図である。
【０１４１】
例えば、シチュエーション２において、クリーニング処理が実行済みの定着器Ａが画像形成装置Ｐから取り出された場合、画像形成装置Ｐの本体メモリ３１２には図８（ａ）の保持内容（１）に示す内容が保持されることになる。定着器Ａのメモリ１５４には図８（ｂ）に示す内容が保持されることになる。
【０１４２】
その後、画像形成装置Ｑにて定着器Ａでのジャムが発生したことに伴い、定着器Ａのメモリ１５４には、画像形成装置ＱのＣＰＵ３０１により、図８（ｃ）に示す内容が保持される。つまり、操作者によりジャム処理のタイミングで、クリーニング処理が実行されないまま画像形成装置Ｑから取り出された定着器Ａのメモリ１５４にはジャム履歴が“履歴あり”として、時刻と併せて保持されることになる。一方、画像形成装置Ｐの本体メモリ３１２が保持している情報は、図８（ａ）の保持内容（１）のままである。
【０１４３】
クリーニング処理が実行されないままの定着器Ａを再び画像形成装置Ｐに装着した場合、画像形成装置Ｐの本体メモリ３１２と定着器Ａのメモリ１５４が保持している情報は、それぞれ図８（ａ）の保持内容（１）と図８（ｃ）のようになる。より新しい時刻の情報を保持する定着器Ａのメモリ１５４のジャム履歴が履歴ありを示している（図８（ｃ））ので、画像形成装置ＰのＣＰＵ３０１は、定着器Ａに対してクリーニング処理を実行させることができる。
【０１４４】
尚、本実施例の画像形成装置１００はシチュエーション１で生じる問題にも対応できる。
【０１４５】
図９（ａ）は本体メモリが保持している情報の一例を示す図であり、図９（ｂ）は、定着器のメモリが保持している情報の一例を示す図である。
【０１４６】
シチュエーション１において、クリーニング処理が未実行の定着器Ａが画像形成装置１００から取り外された直後、本体メモリ３１２には図９（ａ）の保持内容（１）に示す内容が、メモリ１５４には図９（ｂ）に示す内容が保持される。クリーニング処理が未実行のままの定着器Ａが取り外される前と同じ画像形成装置１００に再装着された場合、本体メモリ３１２とメモリ１５４は、それぞれ図９（ａ）の保持内容（１）と図９（ｂ）のように、ジャム履歴と時刻について同じ内容を保持する。
【０１４７】
ＣＰＵ３０１は、メモリ１５４と本体メモリ３１２のどちらのクリーニング情報に基づいても、定着器Ａに対して定着部でのジャムの解消に伴って行われるべきクリーニング処理を実行させることができる。
【０１４８】
尚、メモリ１５４が保持する情報として、ジャムの履歴あり（データ有り）の情報がクリアされている状態の場合、ＣＰＵ３０１は、履歴なし（データ無し（データがクリア））の情報を記憶しているものと判定する。
【０１４９】
尚、メモリ１５４への情報の書き込み（記録）方法はこれに限らず、クリーニング処理が未実行の場合にデータ有り、クリーニング処理が実行済みの場合にデータ無し、となるようにメモリ１５４に書き込むようにしてもよい。また、“クリーニング処理未実行（データ有り）”と“クリーニング処理実行済み（データ有り）”に対応する情報を記憶させるようにしてもよい。
【０１５０】
尚、本実施例では、メモリ１５４に記録するクリーニング情報と、本体メモリ３１２に記録するクリーニング情報は同じデータであるが、同じ内容を示す情報であればメモリ１５４と本体メモリ３１２への記録の方法が異なっていてもよい。例えば、クリーニング処理が未実行であることを示すクリーニング情報として、メモリ１５４には“クリーニング処理未実行（データ有り）”を記録し、本体メモリ３１２にはジャム履歴なし（データ無し）として記録するとしてもよい。また、クリーニング情報に限らず、時刻情報や、識別情報についても同様である。
【０１５１】
また、本体メモリ３１２は複数の定着器についての情報を記憶していてもよい。図８（ａ）や図９（ａ）は２つの定着器についての情報を記憶している例である。
【０１５２】
また、メモリ１５４は、ジャム履歴以外の情報を記憶していてもよい。例えば、封筒用やＡ４サイズ用などの第一定着器１５０の用途、種類を示す情報を記憶していてもよい。
【０１５３】
尚、第一定着器１５０を例に説明したが、第二定着器１７０においても同様である。
【０１５４】
（１２．制御フロー）
以上を、図４〜図７のフローチャートを用いて説明する。尚、これらのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０１５５】
（１２．１．電源オン時及び前扉クローズ時のシークエンス）
図４は電源スイッチがオンされてからスタンバイモードとなるまでのフローチャートである。
【０１５６】
操作者により電源スイッチ１０１がオンされることに伴い、ＣＰＵ３０１は起動する。ＣＰＵ３０１は第一定着器１５０が画像形成装置１００に装着されているかを判別する（Ｓ１０１）。第一定着器１５０が装着されていると、ＣＰＵ３０１は第一定着器１５０のメモリ１５４にアクセスできるようになる。第一定着器１５０が装着されていない場合はＳ１０１へ戻る。第一定着器１５０が画像形成装置１００に装着されていたら、Ｓ１０２へ移行する。
【０１５７】
ＣＰＵ３０１は、図６に示す立上げシークエンスを第一定着器１５０に行わせる（Ｓ１０２）。詳細は後述する。
【０１５８】
第一定着器１５０の立上げが完了したら、ＣＰＵ３０１は操作部１８０に「印刷できます」などの表示を行い、画像形成装置１００が画像形成を開始できることを操作者に知らせる（Ｓ１０３）。そしてスタンバイモードへ移行する。
【０１５９】
図５は前扉が開いている状態からスタンバイモードとなるまでのフローチャートである。
【０１６０】
前扉１４０の開閉状態は、ＣＰＵ３０１が前扉１４０の開閉センサ３０５からの信号を基に検知する。前扉１４０が開いている場合、ＣＰＵ３０１は前扉１４０が閉状態となるのを待つ（Ｓ２０１）。また、前扉１４０が開いている場合、ＣＰＵ３０１は操作部１８０に前扉１４０を閉めるように促す表示をしてもよい。ＣＰＵ３０１は前扉１４０が閉じられたことを検知したら（Ｓ２０１）、Ｓ２０２へ移行する。
【０１６１】
Ｓ２０２〜Ｓ２０４は、図４のＳ１０１〜Ｓ１０３と同じなので説明は省略する。Ｓ２０４の後、スタンバイモードへ移行する。
【０１６２】
（１２．２．立上げシークエンス）
図６は、立上げシークエンスのフローチャートである。図６のフローチャートは、Ｓ１０２、Ｓ２０３、後述するＳ４１２の立上げシークエンスの詳細を示している。
【０１６３】
まず、ＣＰＵ３０１は画像形成装置１００に装着された第一定着器１５０のメモリ１５４が記憶しているデータを読み出す（Ｓ３０１）。
【０１６４】
ＣＰＵ３０１は本体メモリ３１２に記録されているデータを読み出す（Ｓ３０２）。
【０１６５】
Ｓ３０３において、ＣＰＵ３０１は、Ｓ３０１で読み出した第一定着器１５０のＩＤについての情報を本体メモリ３１２が保持しているかを判定する。具体的には、ＣＰＵ３０１は、Ｓ３０１で読み出した第一定着器１５０のＩＤに一致するデータを本体メモリ３１２においてサーチし、第一定着器１５０のＩＤに一致するデータの有無を判定する。
【０１６６】
Ｓ３０１で読み出した第一定着器１５０のＩＤのデータを本体メモリ３１２が保持している場合、ＣＰＵ３０１はＳ３０４に移行する（Ｓ３０３  Ｙｅｓ）。例えば、本体メモリ３１２の保持内容が図８（ａ）であって、ＣＰＵ３０１がＳ３０１で読み出した第一定着器１５０のＩＤが“定着器Ａ”又は“定着器Ｂ”であった場合がこれに相当する。
【０１６７】
一方、Ｓ３０１で読み出した第一定着器１５０のＩＤを本体メモリ３１２が保持していない場合、ＣＰＵ３０１は、Ｓ３０５に移行する（Ｓ３０３  Ｎｏ）。例えば、本体メモリ３１２の保持内容が図８（ａ）であって、ＣＰＵ３０１がＳ３０１で読み出した第一定着器１５０のＩＤが“定着器Ｃ”であった場合がこれに相当する。この場合、本体メモリ３１２は画像形成装置１００に装着された第一定着器１５０についてのジャム履歴に関する情報を保持していない。
【０１６８】
Ｓ３０３でＹｅｓの場合、ＣＰＵ３０１はメモリ１５４のジャム履歴と本体メモリ３１２のジャム履歴のどちらの情報に基づくかを判定する（Ｓ３０４）。具体的には、ＣＰＵ３０１は、メモリ１５４が保持している時刻情報が第一定着器１５０のＩＤに対応付けて本体メモリ３１２に記録されている時刻情報より新しい時刻を示しているか否かを判定する。
【０１６９】
メモリ１５４が保持している時刻情報が、その第一定着器１５０のＩＤに対応付けて本体メモリ３１２に記録されている時刻情報よりも、新しい時刻を示している場合、ＣＰＵ３０１は、Ｓ３０５に移行する（Ｓ３０４  Ｙｅｓ）。例えば、本体メモリ３１２の保持内容が図８（ａ）であって、メモリ１５４の保持内容が図８（ｃ）の場合、これに相当する。（図８（ａ）の保持内容（１）の時刻より図８（ｃ）の時刻の方が新しい。）
一方、メモリ１５４が保持している時刻情報よりも、第一定着器１５０のＩＤに対応付けて本体メモリ３１２に記録されている時刻情報の方が新しい時刻を示している場合、ＣＰＵ３０１は、Ｓ３０６に移行する（Ｓ３０４  Ｎｏ）。また、メモリ１５４が保持している時刻情報と第一定着器１５０のＩＤに対応付けて本体メモリ３１２に記録されている時刻情報が同じ時刻を示している場合も、ＣＰＵ３０１は、Ｓ３０６に移行する（Ｓ３０４  Ｎｏ）。例えば、本体メモリ３１２の保持内容が図８（ａ）であって、メモリ１５４の保持内容が図８（ｂ）の場合、図８（ａ）の保持内容（１）の時刻と図８（ｂ）の時刻が同じので、ＣＰＵ３０１はＳ３０４においてＮｏと判定する。
【０１７０】
Ｓ３０３においてＮｏであった場合及びＳ３０４においてＹｅｓであった場合、ＣＰＵ３０１は第一定着器１５０のメモリ１５４のジャム履歴に基づく判定をする。すなわち、メモリ１５４に第一定着器１５０のジャム履歴が保持されていた場合、ＣＰＵ３０１はＳ３０７に移行し、メモリ１５４に第一定着器１５０のジャム履歴が保持されていない場合、ＣＰＵ３０１はＳ３０８に移行する（Ｓ３０５）。
【０１７１】
一方、Ｓ３０４においてＮｏであった場合、ＣＰＵ３０１は本体メモリ３１２のジャム履歴に基づく判定をする。すなわち、本体メモリ３１２に第一定着器１５０のＩＤについてのジャム履歴が保持されていた場合、ＣＰＵ３０１はＳ３０７に移行する（Ｓ３０６  Ｙｅｓ）。
【０１７２】
尚、Ｓ３０１におけるメモリ１５４の読み出しと、Ｓ３０２における本体メモリ３１２の読み出しは、複数の段階に分けてもよい。例えば、Ｓ３０３、Ｓ３０４、Ｓ３０５、Ｓ３０６の処理毎にＣＰＵ３０１が必要な情報をメモリ１５４や本体メモリ３１２に読み出しに行く構成としてもよい。
【０１７３】
Ｓ３０５においてＹｅｓの場合及びＳ３０６においてＹｅｓの場合、画像形成装置１００に装着されている第一定着器１５０は上述のクリーニング処理が未実行である。ＣＰＵ３０１はクリーニング部等を制御して前述したクリーニング処理を実行させる（Ｓ３０７）。
【０１７４】
Ｓ３０５においてＮｏの場合及びＳ３０６においてＮｏの場合、画像形成装置１００に装着されている第一定着器１５０は上述のクリーニング処理が実行済みである。この場合、クリーニング処理を実行させずに、Ｓ３０８に移行する。クリーニング処理が不要な場合にクリーニング処理を実行させないことにより、電源スイッチ１０１をオンにしてから画像形成装置１００が画像形成を開始可能となるまでの時間として、上述したクリーニング処理の時間（１００秒分）を短縮することができる。
【０１７５】
Ｓ３０８において、ＣＰＵ３０１は本体メモリ３１２のジャム履歴をクリアされた状態にする。このときＣＰＵ３０１がクリア状態にするジャム履歴は、第一定着器１５０のＩＤに対応するジャム履歴である。
【０１７６】
Ｓ３０９において、ＣＰＵ３０１は第一定着器１５０のメモリ１５４のジャム履歴をクリアされた状態にする。具体的には、Ｓ３０８で本体メモリ３１２に保持させたジャム履歴のデータをメモリ１５４にコピーする。
【０１７７】
Ｓ３１０において、ＣＰＵ３０１はメモリ１５４と本体メモリ３１２に、時刻情報を記録する。尚、本体メモリ３１２には、第一定着器１５０のＩＤに対応させて記録する。本実施例では、時刻情報としてＳ３０９の処理を完了した時刻を記録する。
【０１７８】
ＣＰＵ３０１は第一定着器１５０を制御して前述したウォームアップ処理を実行させる（Ｓ３１１）。
【０１７９】
尚、Ｓ３０８において、本体メモリ３１２の第一定着器１５０のＩＤに対応するジャム履歴が既にクリアされた状態の場合（例えば、Ｓ３０６でＮｏのフローを経た場合）は、ＣＰＵ３０１は、変更を加えないとしてもよい。
【０１８０】
尚、Ｓ３０８において、本体メモリ３１２が第一定着器１５０のＩＤについての情報を保持していない場合（例えば、Ｓ３０３でＮｏのフローを経た場合）は、ＣＰＵ３０１は、第一定着器１５０のＩＤを記録する。そしてＳ３０８においてＣＰＵ３０１は、記録したＩＤに対応付けたジャム履歴をクリア状態で本体メモリ３１２に保持させる。
【０１８１】
尚、Ｓ３０９において、メモリ１５４のジャム履歴が既にクリアされた状態の場合（例えば、Ｓ３０５でＮｏのフローを経た場合）、ＣＰＵ３０１は、変更を加えない構成としてもよい。
【０１８２】
尚、Ｓ３１０において記録する時刻は、Ｓ３０９の処理を完了した時刻に限らない。例えば、Ｓ３０７のクリーニング処理を完了した時刻や、Ｓ３０９の処理を開始した時刻であってもよい。
【０１８３】
尚、本体メモリ３１２にジャム履歴のクリア状態と時刻と第一定着器１５０のＩＤを保持させ、メモリ１５４にジャム履歴のクリア状態と時刻を保持させるためのフローは、Ｓ３０８、Ｓ３０９、Ｓ３１０の順番に限らない。
【０１８４】
例えば、まずメモリ１５４のジャム履歴をクリアして、メモリ１５４に時刻を記録する。次に、この２つの情報をメモリ１５４から、本体メモリ３１２の第一定着器１５０のＩＤと対応する領域にコピーする構成であってもよい。
【０１８５】
また、例えば、Ｓ３０８、Ｓ３０９を同時に行う構成としてもよい。
【０１８６】
尚、Ｓ３０８〜Ｓ３１０の処理は、上述したタイミングに限らない。例えば、ウォームアップ処理（Ｓ３１１）が完了したことに伴ってメモリ１５４に保持されていたジャム履歴をクリアするようにしてもよい。
【０１８７】
また、Ｓ３０８〜Ｓ３１０の処理は、クリーニング処理が実行済みの状態で、ＣＰＵ３０１が開閉センサ３０５からの信号を基に前扉１４０の開放を検知することに伴って実行するようにしてもよい。
【０１８８】
さらに、Ｓ３０８〜Ｓ３１０の処理は、クリーニング処理が実行済みの状態で、電源スイッチ１０１がオフされることに伴って実行するようにしてもよい。
【０１８９】
第一定着器１５０の交換には、前扉１４０の開放を伴うためである。
【０１９０】
また、本実施例では、メモリ１５４が保持している時刻情報と第一定着器１５０のＩＤに対応付けて本体メモリ３１２に記録されている時刻情報が同じ時刻を示している場合、本体メモリ３１２のジャム履歴に基づいてクリーニング処理を実行させた。（図６のＳ３０４でＮｏ。）しかしながら、メモリ１５４が保持している時刻情報と第一定着器１５０のＩＤに対応付けて本体メモリ３１２に記録されている時刻情報が同じ時刻を示している場合、メモリ１５４のジャム履歴に基づいてクリーニング処理を実行させる構成としてもよい。その場合、Ｓ３０４において、メモリ１５４が保持している時刻情報と第一定着器１５０のＩＤに対応付けて本体メモリ３１２に記録されている時刻情報が同じ時刻を示している場合、ＣＰＵ３０１は、Ｓ３０５に移行する。
【０１９１】
（１２．３．ジャム発生時のシークエンス）
図７は、定着部でのジャム発生時の処理に関するフローチャートである。具体的には、画像形成装置１００の印刷ジョブ実行時のフローチャートを示している。
【０１９２】
画像形成装置１００が印刷できる状態であるスタンバイモードにおいて、操作部１８０や、外部Ｉ／Ｆ部３０４を介して外部のＰＣ等から印刷ジョブを受け付ける。すると、ＣＰＵ３０１はステーション１２０〜１２３や第一定着器１５０や第二定着器１７０などの画像形成装置１００の各機構を制御することにより、画像形成装置１００による画像形成動作を開始、つまり、印刷ジョブを開始させる（Ｓ４０１）。このとき、画像形成装置１００は、操作部１８０や外部のＰＣの表示画面に、印刷する記録材１０２の種類を選択するための選択画面を表示し、操作者から印刷する記録材１０２の種類の指示も受け付ける。
【０１９３】
ＣＰＵ３０１は印刷ジョブが終了したら、画像形成装置１００をスタンバイモードへ移行させる（Ｓ４０２）。
【０１９４】
ＣＰＵ３０１は、印刷ジョブが終了していない段階（Ｓ４０２）で、画像形成装置１００内でのジャムを検知すると（Ｓ４０３）、画像形成装置１００による画像形成動作を停止、つまり、印刷ジョブを中断させる（Ｓ４０４）。ここで、ＣＰＵ３０１は、センサ群３０６からの信号により、画像形成装置１００内でのジャムを検知する。
【０１９５】
画像形成装置１００内でのジャムを検知しない場合、ＣＰＵ３０１は印刷ジョブが終わるまで印刷ジョブを続行させる（Ｓ４０２、Ｓ４０３）。
【０１９６】
ジャムに伴って記録材１０２が滞留している箇所が第一定着器１５０（第二定着器１７０）以外の場合には、ＣＰＵ３０１は、Ｓ４０６へ移行する（Ｓ４０５）。センサ群３０６の信号を基に、ジャムにより滞留している記録材１０２が取り除かれるまで待機する（Ｓ４０６）。ＣＰＵ３０１は、センサ群３０６からの信号を基に、ジャムにより滞留している記録材１０２が取り除かれたら、前述したウォームアップ処理を実行させる（Ｓ４０７）。
【０１９７】
ＣＰＵ３０１は、ジャムにより記録材１０２が滞留している箇所が第一定着器１５０（第二定着器１７０）であった場合（定着部でのジャム）には、Ｓ４０８に移行する（Ｓ４０５）。
【０１９８】
Ｓ４０８において、ＣＰＵ３０１は、本体メモリ３１２に、画像形成装置１００に装着されている第一定着器１５０のＩＤと対応付けてジャム履歴を記録する。尚、画像形成装置１００に装着されている第一定着器１５０のＩＤは、電源ＯＮ時や前扉１４０の開放、ジャム処理に伴って行われる上述の立上げシークエンス（図６）においてＣＰＵ３０１により既に取得されている（Ｓ３０１）。
【０１９９】
Ｓ４０９において、ＣＰＵ３０１は第一定着器１５０のメモリ１５４にジャム履歴を記録する。具体的には、Ｓ４０８で本体メモリ３１２に保持させたジャム履歴のデータをメモリ１５４にコピーする。
【０２００】
Ｓ４１０において、ＣＰＵ３０１はメモリ１５４と本体メモリ３１２に、時刻情報を記録する。尚、本体メモリ３１２には、第一定着器１５０のＩＤに対応させて記録する。本実施例では、時刻情報としてＳ４０９の処理を完了した時刻を記録する。
【０２０１】
尚、記録する時刻は、Ｓ４０９の処理を完了した時刻に限らない。例えば、Ｓ４０５において定着部でのジャムを検知した時刻や、Ｓ４０９の処理を開始した時刻であってもよい。
【０２０２】
尚、本体メモリ３１２にジャム履歴と時刻を第一定着器１５０のＩＤに対応付けて保持させ、メモリ１５４にジャム履歴と時刻を保持させるためのフローは、Ｓ４０８、Ｓ４０９、Ｓ４１０の順番に限らない。例えば、まずメモリ１５４にジャム履歴を記録して、メモリ１５４に時刻を記録する。次に、この２つの情報をメモリ１５４から、本体メモリ３１２の第一定着器１５０のＩＤと対応したメモリの領域にコピーする構成であってもよい。
【０２０３】
また、Ｓ４０９、Ｓ４１０におけるメモリ１５４へのジャム履歴と時刻の記録は、前扉１４０が開放されることに伴って実行してもよい。前扉１４０が開放されても、第一定着器１５０は画像形成装置１００の本体から取り外されない限り通電した状態となっており、ＣＰＵ３０１はメモリ１５４にジャム履歴を記録することができる。
【０２０４】
前述したように、第一定着器１５０はジャム処理に伴い操作者により交換される恐れがある。そのため、第一定着器１５０でのジャムを検知したら、ジャム処理のために操作者により第一定着器１５０が取り外されるまでにメモリ１５４にジャム履歴を記録しておく。
【０２０５】
ＣＰＵ３０１は、センサ１５３、１５５の信号を基に、第一定着器１５０で滞留している記録材１０２が取り除かれるまで待機する（Ｓ４１１）。ＣＰＵ３０１は、第一定着器１５０で滞留している記録材１０２が取り除かれていることを検知したら、Ｓ４１２の立上げシークエンスへ移行する（Ｓ４１１）。このとき、ＣＰＵ３０１は、開閉センサ３０５からの信号を基に前扉１４０が閉じられたことを検知し、前扉１４０が閉じられたことに伴い、第一定着器１５０内の記録材１０２の有無を確認する。
【０２０６】
Ｓ４１２の立上げシークエンスは図６に示すフローに対応している。この立上げシークエンスでは、前述したように、第一定着器１５０のメモリ１５４を読み出す（Ｓ３０１）。ここで、メモリ１５４の情報を読み出して、第一定着器１５０についてのジャム履歴情報を確認する理由は、ジャム処理のために前扉１４０を開けたタイミングで第一定着器１５０が交換されている可能性がある為である。
【０２０７】
Ｓ４１２の第一定着器１５０の立上げシークエンスあるいはＳ４０７のウォームアップ処理が完了すると、ＣＰＵ３０１は、画像形成装置１００による画像形成動作を再開、つまり、中断していた印刷ジョブを再開させる（Ｓ４１３）。
【０２０８】
さらに、ＣＰＵ３０１は、操作部１８０に「印刷中です」などの表示を行うことで、画像形成装置１００が印刷を実行できていることを操作者に知らせる（Ｓ４１４）。
【０２０９】
その後、Ｓ４０２に戻り、ＣＰＵ３０１は印刷ジョブが終わるまで印刷ジョブを続行させる（Ｓ４０２、Ｓ４０３）。
【０２１０】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。その為、ＣＰＵ３０１は、電源スイッチ１０１がオンになったことや、前扉１４０が閉じられたことに伴い、都度、第一定着器１５０のメモリ１５４と本体メモリ３１２から情報を読み出し、第一定着器１５０についてのジャム履歴を確認する。これによって、ジャムの解消に伴うクリーニング処理が実行されていない第一定着器１５０が画像形成装置１００に装着されても、クリーニング処理が実行されることになるため、出力される記録材１０２の画質が悪化することを抑制することができる。
【０２１１】
また、本体メモリ３１２とメモリ１５４に、ジャム履歴（クリーニング情報）と併せて時刻情報を記録することにより、より新しいクリーニング情報に基づいてクリーニング処理を実行させることができる。これにより、例えば他の画像形成装置（構成は画像形成装置１００と同様）におけるジャムに伴うクリーニング処理が未実行の第一定着器１５０が画像形成装置１００に装着されても、出力される記録材１０２の画質が悪化することを抑制することができる。
【０２１２】
以上の説明において、第一定着器１５０を例に説明したが、第二定着器１７０においても同様である。
【０２１３】
〔実施例２〕
実施例１では、定着部でのジャムの解消に伴って行われるクリーニング処理が実行されたか否かの情報を定着器のメモリと画像形成装置の本体メモリに保持させている。そして、ＣＰＵ３０１がその情報に基づいて、載せ替え後の定着器に対しクリーニング処理を実行させるか否かの制御をしている。
【０２１４】
実施例２では、定着部でのジャムの解消に伴って行われるクリーニング処理が中断されてしまった場合について説明する。実施例２では、クリーニング処理が中断された第一定着器１５０が再度装着された場合、実施例１のクリーニング処理よりも短い短クリーニング処理を実行させる。
【０２１５】
尚、その他の構成は実施例１と同様であるので、同じ構成には同符号を付すことにより、詳細な説明を省略する。
【０２１６】
以下、第一定着器１５０を例に説明する。第二定着器１７０についても同様である。
【０２１７】
例えば、クリーニング処理の実行中に操作者が前扉１４０を開放した場合、ＣＰＵ３０１はクリーニング処理を中断させる。ＣＰＵ３０１は、開閉センサ３０５からの信号を基に前扉１４０が開かれたことを検知する。
【０２１８】
実施例１では、クリーニング処理が完了してからメモリ１５４や本体メモリ３１２のジャム履歴をクリアする。そのため、クリーニング処理の実行途中で操作者が前扉１４０を開けて第一定着器１５０を取り出してしまう場合、メモリ１５４や本体メモリ３１２のジャム履歴はクリアされない。操作者により再度第一定着器１５０が装着されたときには、ＣＰＵ３０１によりクリーニング処理が最初から実行されてしまう。
【０２１９】
しかしながら、例えば、中断された時点でクリーニング処理が１００秒分のうち８０秒分については実施されていたような場合には、定着ローラ１５１のトナー汚れは、定着部でのジャムが発生した直後よりも大分少なくなっていることが想定される。それにもかかわらず、再装着後に最初からクリーニング処理を１００秒間に亘り実行させてしまうと操作者の待ち時間を増加させてしまうことになる。
【０２２０】
そこで、クリーニング処理が中断された第一定着器１５０が装着された場合、実施例１のクリーニング処理よりも短い短クリーニング処理を実行させる。
【０２２１】
具体的には、クリーニング情報としてのクリーニング履歴を第一定着器１５０のメモリ１５４と本体メモリ３１２に保持させる。ここで、クリーニング履歴は、定着部でのジャムの解消に伴って行われるクリーニング処理（本実施例では１００秒間）について、“実行済み”又は“処理中断”又は“履歴なし”の３種類である。ＣＰＵ３０１は、メモリ１５４と本体メモリ３１２のクリーニング履歴のうち、新しい時刻に対応したクリーニング履歴が“履歴なし”（データがクリア）の場合、クリーニング処理が未実行であるとして上述のクリーニング処理（１００秒間）を実行させる。一方、ＣＰＵ３０１は、メモリ１５４と本体メモリ３１２のクリーニング履歴のうち、新しい時刻に対応したクリーニング履歴が“処理中断”である場合には、上述のクリーニング処理（１００秒間）よりも短時間の短クリーニング処理（５０秒間）を実行させる。また、ＣＰＵ３０１はメモリ１５４と本体メモリ３１２のクリーニング履歴のうち、新しい時刻に対応したクリーニング履歴が“実行済み”である場合には、クリーニング処理や短クリーニング処理を実行させない。
【０２２２】
（１３．制御フロー２）
図１０〜図１５のフローチャートを用いて説明する。尚、これらのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０２２３】
（１３．１．立上げシークエンス２）
実施例２では、立上げシークエンスのフローが実施例１と異なる。図１０は立上げシークエンス２のフローチャートである。図１０のフローチャートは、後述するＳ８１２、後述するＳ９０２、後述するＳ１００３の立上げシークエンス２の詳細を示している。
【０２２４】
まず、ＣＰＵ３０１は第一装着部１４１に装着された第一定着器１５０のメモリ１５４が記憶しているデータを読み出す（Ｓ５０１）。
【０２２５】
ＣＰＵ３０１は本体メモリ３１２に記録されているデータを読み出す（Ｓ５０２）。
【０２２６】
Ｓ５０３において、ＣＰＵ３０１は、Ｓ５０１で読み出した第一定着器１５０のＩＤについての情報を本体メモリ３１２が保持しているかを判定する。具体的には、ＣＰＵ３０１は、Ｓ５０１で読み出した第一定着器１５０のＩＤに一致するデータを本体メモリ３１２においてサーチし、第一定着器１５０のＩＤに一致するデータの有無を判定する。
【０２２７】
Ｓ５０１で読み出した第一定着器１５０のＩＤを本体メモリ３１２が保持している場合、ＣＰＵ３０１はＳ５０４に移行する（Ｓ５０３  Ｙｅｓ）。
【０２２８】
一方、Ｓ５０１で読み出した第一定着器１５０のＩＤを本体メモリ３１２が保持していない場合、ＣＰＵ３０１は、Ｓ５０５に移行する（Ｓ５０３  Ｎｏ）。この場合、本体メモリ３１２は画像形成装置１００に装着された第一定着器１５０についてのクリーニング履歴に関する情報を保持していない。
【０２２９】
Ｓ５０３でＹｅｓの場合、ＣＰＵ３０１はメモリ１５４のクリーニング情報と本体メモリ３１２のクリーニング履歴のどちらの情報に基づくかを判定する（Ｓ５０４）。具体的には、ＣＰＵ３０１は、メモリ１５４が保持している時刻情報が第一定着器１５０のＩＤに対応付けて本体メモリ３１２に記録されている時刻情報より新しい時刻を示しているか否かを判定する。
【０２３０】
メモリ１５４が保持している時刻情報が、その第一定着器１５０のＩＤに対応付けて本体メモリ３１２に記録されている時刻情報よりも、新しい時刻を示している場合、ＣＰＵ３０１は、Ｓ５０５に移行する（Ｓ５０４  Ｙｅｓ）。
【０２３１】
一方、メモリ１５４が保持している時刻情報よりも、第一定着器１５０のＩＤに対応付けて本体メモリ３１２に記録されている時刻情報の方が新しい時刻を示している場合、ＣＰＵ３０１は、Ｓ５０６に移行する（Ｓ５０４  Ｎｏ）。また、メモリ１５４が保持している時刻情報と第一定着器１５０のＩＤに対応付けて本体メモリ３１２に記録されている時刻情報が同じ時刻を示している場合も、ＣＰＵ３０１は、Ｓ５０６に移行する（Ｓ５０４  Ｎｏ）。
【０２３２】
Ｓ５０５は、図１１に示すシークエンスであり、ＣＰＵ３０１は第一定着器１５０のメモリ１５４のクリーニング履歴に基づく判定をする。詳細は、後述する。
【０２３３】
Ｓ５０６は、図１２に示すシークエンスであり、ＣＰＵ３０１は本体メモリのクリーニング履歴に基づく判定をする。詳細は、後述する。
【０２３４】
（１３．２．定着器のメモリの情報に基づくシークエンス）
図１１は、定着器のメモリの情報に基づくシークエンスを示すフローチャートであり、図１０のＳ５０５に対応している。
【０２３５】
Ｓ６０１において、ＣＰＵ３０１は、メモリ１５４のクリーニング履歴が“実行済み”の場合はＳ６０２に移行する（Ｓ６０１  Ｙｅｓ）。
【０２３６】
Ｓ６０２において、ＣＰＵ３０１は、本体メモリ３１２に第一定着器１５０のクリーニング履歴が“実行済み”であることを第一定着器１５０のＩＤと時刻と対応付けて記録する。具体的には、メモリ１５４のクリーニング履歴とメモリ１５４が保持している時刻（すなわち、メモリ１５４のクリーニング履歴がメモリ１５４に書き込まれた時刻）のデータを本体メモリ３１２にコピーする。
【０２３７】
Ｓ６０３において、ＣＰＵ３０１は、上述したウォームアップ処理を実行させる。
【０２３８】
メモリ１５４のクリーニング履歴が“実行済み”の場合、ＣＰＵ３０１は、クリーニング処理を実行させることなく、図１０のＳ５０５に示す定着器のメモリの情報に基づくシークエンスを完了する。
【０２３９】
一方、Ｓ６０１において、ＣＰＵ３０１は、メモリ１５４のクリーニング履歴が“実行済み”以外の場合はＳ６０４に移行する（Ｓ６０１  Ｎｏ）。
【０２４０】
ＣＰＵ３０１は、メモリ１５４のクリーニング履歴が“実行済み”以外であって“処理中断”でない場合（すなわち、“履歴なし”である（未実行を示している）場合）はＳ６０５に移行する（Ｓ６０４）。そして、ＣＰＵ３０１は、クリーニング部を制御して前述したクリーニング処理を実行させる（Ｓ６０５）。
【０２４１】
ＣＰＵ３０１は、メモリ１５４のクリーニング履歴が“実行済み”以外であって“処理中断”である場合はＳ６０６に移行し（Ｓ６０４）、クリーニング部を制御して前述した短クリーニング処理を実行させる（Ｓ６０６）。
【０２４２】
ＣＰＵ３０１はクリーニング処理又は短クリーニング処理が実行中に中断されなかった（処理が完了した）場合は、Ｓ６０８に移行する（Ｓ６０７）。
【０２４３】
Ｓ６０８において、ＣＰＵ３０１は本体メモリ３１２にクリーニング履歴を“実行済み”として記録する。このときＣＰＵ３０１が記録するクリーニング履歴は、第一定着器１５０のＩＤに対応するクリーニング履歴である。
【０２４４】
Ｓ６０９において、ＣＰＵ３０１は第一定着器１５０のメモリ１５４にクリーニング履歴を“実行済み”として記録する。具体的には、Ｓ６０８で本体メモリ３１２に保持させたクリーニング履歴のデータをメモリ１５４にコピーする。
【０２４５】
Ｓ６１０において、ＣＰＵ３０１はメモリ１５４と本体メモリ３１２に、時刻情報を記録する。尚、本体メモリ３１２には、第一定着器１５０のＩＤに対応させて記録する。本実施例では、時刻情報としてＳ６０９の処理を完了した時刻を記録する。
【０２４６】
ＣＰＵ３０１は第一定着器１５０を制御して前述したウォームアップ処理を実行させる（Ｓ６１１）。ここで、図１０のＳ５０５に示す定着器のメモリの情報に基づくシークエンスは完了する。
【０２４７】
一方、クリーニング処理又は短クリーニング処理が実行中に中断された場合、ＣＰＵ３０１はクリーニング履歴として“処理中断”を本体メモリ３１２とメモリ１５４に記録し、図１０のＳ５０５に示す定着器のメモリの情報に基づくシークエンスは中断する。
【０２４８】
ＣＰＵ３０１は、クリーニング処理又は短クリーニング処理が実行中に中断された場合、Ｓ６１２に移行する（Ｓ６０７）。
【０２４９】
Ｓ６１２において、ＣＰＵ３０１は本体メモリ３１２にクリーニング履歴を“処理中断”として記録する。このときＣＰＵ３０１が記録するクリーニング履歴は、第一定着器１５０のＩＤに対応するクリーニング履歴である。
【０２５０】
Ｓ６１３において、ＣＰＵ３０１は第一定着器１５０のメモリ１５４にクリーニング履歴を“処理中断”として記録する。具体的には、Ｓ６１２で本体メモリ３１２に保持させたクリーニング履歴のデータをメモリ１５４にコピーする。尚、前扉１４０が開放されても、画像形成装置１００と第一定着器１５０とは通電した状態となっており、ＣＰＵ３０１はメモリ１５４に“処理中断”のクリーニング履歴を記憶させることができる。
【０２５１】
Ｓ６１４において、ＣＰＵ３０１はメモリ１５４と本体メモリ３１２に、時刻情報を記録する。尚、本体メモリ３１２には、第一定着器１５０のＩＤに対応させて記録する。本実施例では、時刻としてＳ６１３の処理を完了した時刻を記録する。
【０２５２】
尚、Ｓ６０２やＳ６０８、Ｓ６１２において、本体メモリ３１２の第一定着器１５０のＩＤに対応するクリーニング履歴が既に記録すべきクリーニング履歴と同じ内容であった場合、クリーニング履歴を変更しない構成としてもよい。この場合、Ｓ６０２では、ＣＰＵ３０１は時刻のみを書きかえることになる。
【０２５３】
尚、Ｓ６０２やＳ６０８、Ｓ６１２において、本体メモリ３１２が第一定着器１５０のＩＤについての情報を保持していない場合は、ＣＰＵ３０１は、クリーニング履歴と併せて第一定着器１５０のＩＤを記録する。尚、第一定着器１５０のＩＤは図１０のＳ５０１においてＣＰＵ３０１が取得している。
【０２５４】
（１３．３．本体のメモリの情報に基づくシークエンス）
図１２は、本体のメモリの情報に基づくシークエンスを示すフローチャートであり、図１０のＳ５０６に対応している。
【０２５５】
ＣＰＵ３０１は、本体メモリ３１２のクリーニング履歴が“実行済み”の場合はＳ７０７に移行し、クリーニング履歴が“実行済み”以外の場合はＳ７０２に移行する（Ｓ７０１）。
【０２５６】
ＣＰＵ３０１は、本体メモリ３１２のクリーニング履歴が“実行済み”以外であって“処理中断”でない場合（すなわち、“履歴なし”である（未実行を示している）場合）はＳ７０３に移行する（Ｓ７０２  Ｎｏ）。
【０２５７】
Ｓ７０３において、ＣＰＵ３０１は上述のクリーニング処理を実行させる。
【０２５８】
ＣＰＵ３０１は、本体メモリ３１２のクリーニング履歴が“実行済み”以外であって“処理中断”である場合はＳ７０４に移行する（Ｓ７０２  Ｙｅｓ）。
【０２５９】
Ｓ７０４において、ＣＰＵ３０１は上述の短クリーニング処理を実行させる。
【０２６０】
ＣＰＵ３０１はクリーニング処理又は短クリーニング処理が実行中に中断されなかった（処理が完了した）場合は、Ｓ７０６に移行する（Ｓ７０５）。
【０２６１】
Ｓ７０６、Ｓ７０７、Ｓ７０８、Ｓ７０９は、Ｓ６０８、Ｓ６０９、Ｓ６１０、Ｓ６１１とそれぞれ同じであるから説明を省略する。
【０２６２】
Ｓ７０９の実行を以て、図１０のＳ５０６に示す本体メモリの情報に基づくシークエンスは完了する。
【０２６３】
一方、クリーニング処理又は短クリーニング処理が実行中に中断された場合、ＣＰＵ３０１はクリーニング履歴として“処理中断”を本体メモリ３１２とメモリ１５４に記録し、図１０のＳ５０６に示す本体メモリの情報に基づくシークエンスは中断する。
【０２６４】
ＣＰＵ３０１は、クリーニング処理又は短クリーニング処理が実行中に中断された場合、Ｓ７１０に移行する（Ｓ７０５）。
【０２６５】
Ｓ７１０、Ｓ７１１、Ｓ７１２は、Ｓ６１２、Ｓ６１３、Ｓ６１４とそれぞれ同じであるから説明を省略する。
【０２６６】
尚、Ｓ７０７、Ｓ７１１において、メモリ１５４が記憶しているクリーニング履歴が記録すべきクリーニング履歴と同じ内容であった場合、クリーニング履歴を変更しない構成としてもよい。
【０２６７】
以上のように定着器のメモリの情報に基づくシークエンス（図１１）と本体メモリ情報に基づくシークエンス（図１２）を含む立上げシークエンス２（図１０）を実行させることにより、次のことが言える。
【０２６８】
クリーニング処理が不要な場合にクリーニング処理を実行させないことにより、電源スイッチ１０１がオンにされてから画像形成装置１００が画像形成を開始可能となるまでの時間として、上述したクリーニング処理の１００秒分を短縮することができる。
【０２６９】
クリーニング処理が短くてよい場合に、クリーニング処理よりも短時間の短クリーニング処理を実行させる。このことにより、電源スイッチ１０１がオンにされてから画像形成装置１００が画像形成を開始可能となるまでの時間（５０秒分）を短縮することができる。
【０２７０】
尚、短クリーニング処理の実行時間は、上述のように一定時間とするのではなく、クリーニング処理が中断されるまでに実行されたクリーニングの時間に応じて制御してもよい。この場合、クリーニング処理が中断されるまでに実行されたクリーニングの時間をタイマー３０７が計測する。ＣＰＵ３０１はクリーニング履歴と併せてクリーニング処理が中断されるまでに実行されたクリーニングの時間（もしくは短クリーニング処理の実行時間）に対応する情報を記録する（図１１のＳ６１２、Ｓ６１３、図１２のＳ７１０、Ｓ７１１）。また、ＣＰＵ３０１はクリーニング履歴と併せてこのクリーニングの時間に対応する情報をメモリ１５４から読み出す（図１０のＳ５０１）。ＣＰＵ３０１は、読み出した時間に基づいて決定される時間に亘って短クリーニング処理を実行させる（図１１のＳ６０６、図１２のＳ７０４）。
【０２７１】
このとき、短クリーニング処理の実行時間については、必ずしもクリーニング処理が中断されなかった場合の時間とクリーニング処理が中断されるまでに実行されたクリーニングの時間との差分とする必要はない。例えば、１００秒間のクリーニング処理が５０秒未満で中断された場合は８０秒間の短クリーニング処理を実行させ、５０秒以上１００秒未満で中断された場合は３０秒間の短クリーニング処理を実行させるとしてもよい。
【０２７２】
また、クリーニング処理が予め設定された所定の時間以下しか実行されずに中断された場合には、クリーニング処理を最初からやり直すために、Ｓ６１２、Ｓ６１３、Ｓ７１０、Ｓ７１１においてＣＰＵ３０１はクリーニング履歴をクリアしたままにしてもよい。
【０２７３】
また、クリーニング処理が中断された第一定着器１５０が再度装着された場合に、短クリーニング処理を入れるかどうかは、操作者の設定で決められるようにしてもよい。すなわち、このような場合に実施例１のようにクリーニング処理を最初から実行させるモードと、このような場合に実施例２のように短クリーニング処理を実行させるモードと、を含む選択肢の中から、操作者が選択できるようにしてもよい。選択部としての操作部１８０が、これらのモードを選択可能な選択画面を表示し、操作者に事前に設定させる。予め設定されたモードが前者のモードである場合、クリーニング処理が実行されずに中断された場合には、クリーニング処理を最初からやり直すために、Ｓ６１２、Ｓ６１３、Ｓ７１０、Ｓ７１１においてＣＰＵ３０１はクリーニング履歴をクリアしたままにする。
【０２７４】
（１３．４．ジャム発生時のシークエンス）
図１３は、定着部でのジャム発生時の処理に関するフローチャート２である。具体的には、画像形成装置１００の印刷ジョブ実行時のフローチャートである。
【０２７５】
Ｓ８０１〜Ｓ８０７は図７のＳ４０１〜Ｓ４０７と同じであるから説明は省略する。
【０２７６】
Ｓ８０８において、ＣＰＵ３０１は、本体メモリ３１２のクリーニング履歴であって、画像形成装置１００に装着されている第一定着器１５０のＩＤに対応するクリーニング履歴をクリアする。これにより、クリーニング履歴は“履歴なし”となり、上述のクリーニング処理が未実行であることを示す情報となる。尚、画像形成装置１００に装着されている第一定着器１５０のＩＤは、電源ＯＮ時や前扉１４０の開放、ジャム処理に伴って行われる上述の立上げシークエンス２（図１０）においてＣＰＵ３０１により既に取得されている（Ｓ５０１）。
【０２７７】
Ｓ８０９において、ＣＰＵ３０１は第一定着器１５０のメモリ１５４のクリーニング履歴をクリアされた状態にする。具体的には、Ｓ８０８で本体メモリ３１２に保持させたクリーニング履歴のデータ（クリアされた状態）をメモリ１５４にコピーする。
【０２７８】
Ｓ８１０において、ＣＰＵ３０１はメモリ１５４と本体メモリ３１２に、時刻情報を記録する。尚、本体メモリ３１２には、第一定着器１５０のＩＤに対応させて記録する。本実施例では、時刻としてＳ８０９の処理を完了した時刻を記録する。
【０２７９】
Ｓ８１１は図７のＳ４１１と同じであるから説明は省略する。
【０２８０】
Ｓ８１２において、ＣＰＵ３０１は図１０の立上げシークエンス２を実行する。
【０２８１】
Ｓ８１３〜Ｓ８１４は、図７のＳ４１３〜Ｓ４１４と同じであるから説明は省略する。
【０２８２】
（１３．５．電源オン時及び前扉クローズ時のシークエンス）
図１４は電源スイッチがオンされてからスタンバイモードとなるまでのフローチャート２である。Ｓ９０１、Ｓ９０３はそれぞれ図４のＳ１０１、Ｓ１０３と同じである。Ｓ９０２において、ＣＰＵ３０１は図１０の立上げシークエンス２を実行する。
【０２８３】
図１５は前扉が開いている状態からスタンバイモードとなるまでのフローチャート２である。Ｓ１００１、Ｓ１００２、Ｓ１００４はそれぞれ図５のＳ２０１、Ｓ２０２、Ｓ２０４と同じである。Ｓ１００３において、ＣＰＵ３０１は図１０の立上げシークエンス２を実行する。
【０２８４】
〔実施例３〕
実施例１、実施例２では、ＣＰＵ３０１はメモリ１５４のクリーニング情報と本体メモリ３１２のクリーニングのどちらの情報に基づくかを判定するための情報として、メモリ１５４と本体メモリ３１２に時刻情報を保持させている。尚、第一定着器１５０を例に説明したが、第二定着器１７０においても同様である。
【０２８５】
本実施例では、時刻情報の代わりに、メモリ１５４への記録回数を示す情報を保持させる。
【０２８６】
以下では、実施例１との差分を中心に説明する。尚、その他の構成は実施例１に同様であるから、詳細な説明を省略する。
【０２８７】
尚、第一定着器１５０を例に説明するが、第二定着器１７０においても同様である。
【０２８８】
本実施例では、定着記憶部としての第一定着器１５０のメモリ１５４は、クリーニング情報と、メモリ１５４にクリーニング情報が記録された累積回数を示す情報（回数情報）とを保持する。さらに、メモリ１５４には、他の定着器と識別するための識別情報として、定着器のＩＤ（例えば、“定着器Ａ”）を保持しており、メモリ１５４は識別部として機能する。
【０２８９】
一方、本体記憶部としての本体メモリ３１２には、メモリ１５４に記録した回数情報と同じ回数を示す情報（回数情報）と、クリーニング情報と、第一定着器１５０の定着器のＩＤと、を対応付けて保持させるようにする。
【０２９０】
具体的なクリーニング情報としては、実施例１と同様に本体メモリ３１２とメモリ１５４に“履歴あり”又は“履歴なし”というジャム履歴の情報を保持させる。
【０２９１】
回数情報は、メモリ１５４が記憶しているクリーニング情報と本体メモリ３１２が記憶しているクリーニング情報のうち、どちらのクリーニング情報に基づくかを判定するために記憶させている。ＣＰＵ３０１は、クリーニング情報をメモリ１５４に記録する度に、メモリ１５４が保持する回数情報の回数の値を更新して記録する。
【０２９２】
ＣＰＵ３０１は、本体メモリ３１２とメモリ１５４が保持しているクリーニング情報のうち、より新しい方のクリーニング情報に基づいて、クリーニング処理を実行させる。
【０２９３】
具体的には、ＣＰＵ３０１は、画像形成装置１００に装着された第一定着器１５０のメモリ１５４が記憶している回数情報と、本体メモリ３１２が記憶している回数情報とを比較し、どちらの回数情報の累積回数が多いかを判定する。ＣＰＵ３０１は、より多い回数の回数情報に対応付けられたクリーニング情報が、定着部でのジャムの解消に伴って行われるクリーニング処理が未実行であることを示す場合、クリーニング処理を実行させる。
【０２９４】
尚、本実施例では回数情報としてメモリ１５４にクリーニング情報が記録された回数の累積値を保持させるが、クリーニング情報以外の情報がメモリ１５４に記録された回数を含めて累積回数をカウントする構成としてもよい。この場合、例えば、（１）クリーニング情報以外の情報の書き込み、（２）クリーニング情報の書き込み、（３）クリーニング情報の書き込み、という順でメモリ１５４に情報が記録されたとすると、累積回数は３回となる。
【０２９５】
（１４．制御フロー３）
図１６〜図１９のフローチャートを用いて説明する。尚、これらのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０２９６】
（１４．１．電源オン時及び前扉クローズ時のシークエンス）
図１６は電源スイッチがオンされてからスタンバイモードとなるまでのフローチャート３である。Ｓ１１０１、Ｓ１１０３はそれぞれ図４のＳ１０１、Ｓ１０３と同じである。Ｓ１１０２において、ＣＰＵ３０１は図１８の立上げシークエンス３を実行する。
【０２９７】
図１７は前扉が開いている状態からスタンバイモードとなるまでのフローチャート３である。Ｓ１２０１、Ｓ１２０２、Ｓ１２０４はそれぞれ図５のＳ２０１、Ｓ２０２、Ｓ２０４と同じである。Ｓ１２０３において、ＣＰＵ３０１は図１８の立上げシークエンス３を実行する。
【０２９８】
（１４．２．立上げシークエンス３）
図１８は、立上げシークエンス３のフローチャートである。図１８のフローチャートは、Ｓ１１０２、Ｓ１２０３、後述するＳ１４１２の立上げシークエンス３の詳細を示している。
【０２９９】
Ｓ１３０１、Ｓ１３０２はそれぞれ図６のＳ３０１、Ｓ３０２と同じであるから説明を省略する。
【０３００】
Ｓ１３０３において、ＣＰＵ３０１は、Ｓ１３０１で読み出した第一定着器１５０のＩＤについての情報を本体メモリ３１２が保持しているかを判定する。Ｓ１３０１で読み出した第一定着器１５０のＩＤのデータを本体メモリ３１２が保持している場合、ＣＰＵ３０１はＳ１３０４に移行する（Ｓ１３０３  Ｙｅｓ）。一方、Ｓ１３０１で読み出した第一定着器１５０のＩＤを本体メモリ３１２が保持していない場合、ＣＰＵ３０１は、Ｓ１３０５に移行する（Ｓ１３０３  Ｎｏ）。
【０３０１】
Ｓ１３０３でＹｅｓの場合、ＣＰＵ３０１はメモリ１５４のジャム履歴と本体メモリ３１２のジャム履歴のどちらの情報に基づくかを判定する（Ｓ１３０４）。具体的には、ＣＰＵ３０１は、メモリ１５４が保持している回数情報の回数が第一定着器１５０のＩＤに対応付けて本体メモリ３１２に記録されている回数情報の回数より多いか否かを判定する。
【０３０２】
メモリ１５４が保持している回数情報が、その第一定着器１５０のＩＤに対応付けて本体メモリ３１２に記録されている回数情報よりも多い回数を示している場合、ＣＰＵ３０１は、Ｓ１３０５に移行する（Ｓ１３０４  Ｙｅｓ）。
【０３０３】
一方、メモリ１５４が保持している回数情報よりも、第一定着器１５０のＩＤに対応付けて本体メモリ３１２に記録されている回数情報の方が多い回数を示している場合、ＣＰＵ３０１は、Ｓ１３０６に移行する（Ｓ１３０４  Ｎｏ）。また、メモリ１５４が保持している回数情報と第一定着器１５０のＩＤに対応付けて本体メモリ３１２に記録されている回数情報が同じ回数を示している場合も、ＣＰＵ３０１は、Ｓ１３０６に移行する（Ｓ１３０４  Ｎｏ）。
【０３０４】
Ｓ１３０３においてＮｏであった場合及びＳ１３０４においてＹｅｓであった場合、ＣＰＵ３０１は第一定着器１５０のメモリ１５４のジャム履歴に基づく判定をする。すなわち、メモリ１５４に第一定着器１５０のジャム履歴が保持されていた場合、ＣＰＵ３０１はＳ１３０７に移行し、メモリ１５４に第一定着器１５０のジャム履歴が保持されていない場合、ＣＰＵ３０１はＳ１３０８に移行する（Ｓ１３０５）。
【０３０５】
一方、Ｓ１３０４においてＮｏであった場合、ＣＰＵ３０１は本体メモリ３１２のジャム履歴に基づく判定をする。すなわち、本体メモリ３１２に第一定着器１５０のＩＤについてのジャム履歴が保持されていた場合、ＣＰＵ３０１はＳ１３０７に移行する（Ｓ１３０６  Ｙｅｓ）。
【０３０６】
Ｓ１３０７〜Ｓ１３０９は、それぞれ図６のＳ３０７〜Ｓ３０９と同様であるから説明を省略する。
【０３０７】
Ｓ１３１０において、ＣＰＵ３０１はメモリ１５４と本体メモリ３１２に、回数情報を記録する。尚、本体メモリ３１２には、第一定着器１５０のＩＤに対応させて記録する。Ｓ１３０４で比較した回数情報（メモリ１５４が保持している回数情報と、第一定着器１５０のＩＤに対応付けて本体メモリ３１２に記録されている回数情報）が示す回数のうち多い方の回数をＮとするとき、Ｓ１３１０においてＮ＋１を回数情報として記録する。ここで、Ｎは０以上の整数とする。また、Ｓ１３０４で比較した回数情報（メモリ１５４が保持している回数情報と、第一定着器１５０のＩＤに対応付けて本体メモリ３１２に記録されている回数情報）が示す回数が同じ（Ｎとする）場合、Ｓ１３１０においてＮ＋１を回数情報として記録する。
【０３０８】
Ｓ１３１１は図６のＳ３１１と同様であるから説明を省略する。
【０３０９】
尚、本実施例では、メモリ１５４が保持している回数情報と第一定着器１５０のＩＤに対応付けて本体メモリ３１２に記録されている回数情報が同じ回数を示している場合、本体メモリ３１２のジャム履歴に基づいてクリーニング処理を実行させる。（図１８のＳ１３０４でＮｏ。）しかしながら、メモリ１５４が保持している回数情報と第一定着器１５０のＩＤに対応付けて本体メモリ３１２に記録されている回数情報が同じ回数を示している場合、メモリ１５４のジャム履歴に基づいてクリーニング処理を実行させる構成としてもよい。その場合、Ｓ１３０４において、メモリ１５４が保持している回数情報と第一定着器１５０のＩＤに対応付けて本体メモリ３１２に記録されている回数情報が同じ回数を示している場合、ＣＰＵ３０１は、Ｓ１３０５に移行する。
【０３１０】
（１４．３．ジャム発生時のシークエンス）
図１９は、定着部でのジャム発生時の処理に関するフローチャート３である。具体的には、画像形成装置１００の印刷ジョブ実行時のフローチャートを示している。
【０３１１】
Ｓ１４０１〜Ｓ１４０９は、図７のＳ４０１〜Ｓ４０９と同じであるから説明を省略する。
【０３１２】
Ｓ１４１０において、ＣＰＵ３０１はメモリ１５４と本体メモリ３１２に、回数情報を記録する。ここで、既にメモリ１５４と本体メモリ３１２に記録されている回数情報の回数をＭとするとき、回数情報がＭ＋１となるように記録する。尚、本体メモリ３１２には、第一定着器１５０のＩＤに対応させて記録する。
【０３１３】
尚、回数情報は、電源ＯＮ時や前扉１４０の開放、ジャム処理に伴って行われる上述の立上げシークエンス３（図１８）のＳ１３１０により、メモリ１５４に記録されている回数情報と本体メモリ３１２に記録されている回数情報は同じ回数が記録されている。
【０３１４】
前述したように、第一定着器１５０はジャム処理に伴い操作者により交換される恐れがある。そのため、第一定着器１５０でのジャムを検知したら、ジャム処理のために操作者により第一定着器１５０が取り外されるまでにメモリ１５４にジャム履歴を記録しておく。
【０３１５】
Ｓ１４１１は図７のＳ４１１と同じであるから説明を省略する。
【０３１６】
Ｓ１４１２の立上げシークエンス３は図１８に示すフローに対応している。この立上げシークエンス３では、前述したように、第一定着器１５０のメモリ１５４を読み出す（Ｓ１３０１）。ここで、メモリ１５４の情報を読み出して、第一定着器１５０についてのジャム履歴情報を確認する理由は、ジャム処理のために前扉１４０を開けたタイミングで第一定着器１５０が交換されている可能性がある為である。
【０３１７】
Ｓ１４１３、Ｓ１４１４はそれぞれ図７のＳ４１３、Ｓ４１４に同じであるから説明を省略する。
【０３１８】
その後、Ｓ１４０２に戻り、ＣＰＵ３０１は印刷ジョブが終わるまで印刷ジョブを続行させる（Ｓ１４０２、Ｓ１４０３）。
【０３１９】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。その為、ＣＰＵ３０１は、電源スイッチ１０１がオンになったことや、前扉１４０が閉じられたことに伴い、都度、第一定着器１５０のメモリ１５４と本体メモリ３１２から情報を読み出し、第一定着器１５０についてのジャム履歴を確認する。これによって、ジャムの解消に伴うクリーニング処理が実行されていない第一定着器１５０が画像形成装置１００に装着されても、クリーニング処理が実行されることになるため、出力される記録材１０２の画質が悪化することを抑制することができる。
【０３２０】
また、本体メモリ３１２とメモリ１５４に、ジャム履歴（クリーニング情報）と併せて回数情報を記録することにより、より新しいクリーニング情報に基づいてクリーニング処理を実行させることができる。これにより、例えば他の画像形成装置（構成は画像形成装置１００と同様）におけるジャムに伴うクリーニング処理が未実行の第一定着器１５０が画像形成装置１００に装着されても、出力される記録材１０２の画質が悪化することを抑制することができる。
【０３２１】
尚、本実施例では、回数情報として０以上の整数を記録し、ＣＰＵ３０１がメモリ１５４に情報を記録する毎に回数情報の値が１ずつ増えるように記録する構成としたが、回数情報の記録方法はこれに限らない。
【０３２２】
Ｓ１３０４で比較した回数情報（メモリ１５４が保持している回数情報と、第一定着器１５０のＩＤに対応付けて本体メモリ３１２に記録されている回数情報）が示す回数のうち多い方の回数をＸとする。Ｓ１３１０においてＣＰＵ３０１はＸ＋Ｙを回数情報として記録するとする。また、Ｓ１４１０において、既にメモリ１５４と本体メモリ３１２に記録されている回数情報の回数をＺとするとき、ＣＰＵ３０１はＺ＋Ｙを回数情報としてメモリ１５４と本体メモリ３１２に記録するとする。
【０３２３】
このとき、例えば、Ｙ＝０．１として、ＣＰＵ３０１は、メモリ１５４に情報を記録する毎に回数情報が０．１ずつ増える値を記録するとしてもよい。この場合、回数情報が示す回数（Ｘ、Ｙ、Ｘ＋Ｙ、Ｚ＋Ｙ）は非整数を含む。
【０３２４】
またこのとき、例えば、Ｙ＝２として、ＣＰＵ３０１は、メモリ１５４に情報を記録する毎に回数情報が２ずつ増える値を記録するとしてもよい。
【０３２５】
またこのとき、例えば、Ｙ＝−１として、ＣＰＵ３０１は、メモリ１５４に情報を記録する毎に回数情報が１ずる減る値を記録するとしてもよい。この場合、回数情報が示す回数（Ｘ、Ｙ、Ｘ＋Ｙ、Ｚ＋Ｙ）は負の値を含む。ただし、この場合には、Ｓ１３０４において、ＣＰＵ３０１は、メモリ１５４の回数情報が示す値がその第一定着器１５０のＩＤに対応付けて本体メモリ３１２の回数情報が示す値よりも小さい場合、Ｓ１３０５に移行する（Ｓ１３０４  Ｙｅｓ）。例えば、メモリ１５４の回数情報が示す値が−４、本体メモリ３１２の回数情報が示す値が−２の場合がこれに相当する。一方、ＣＰＵ３０１は、メモリ１５４の回数情報が示す値がその第一定着器１５０のＩＤに対応付けて本体メモリ３１２の回数情報が示す値より小さくない場合、ＣＰＵ３０１は、Ｓ１３０６に移行する（Ｓ１３０４  Ｎｏ）。
【０３２６】
尚、以上の説明では、実施例１と差分を説明したが、実施例２の構成を基に時刻情報の代わりにメモリ１５４への記録回数を示す情報を保持させる構成としてもよい。その詳細は、以上の説明から当業者に十分に理解されるものであるから、説明を省略する。
【０３２７】
〔実施例４〕
実施例３では、ＣＰＵ３０１はメモリ１５４のクリーニング情報と本体メモリ３１２のクリーニングのどちらの情報に基づくかを判定するための情報として、メモリ１５４と本体メモリ３１２にメモリ１５４への記録回数を示す情報を保持させる。尚、第一定着器１５０を例に説明したが、第二定着器１７０においても同様である。
【０３２８】
本実施例では、メモリ１５４のクリーニング情報と本体メモリ３１２のクリーニングのどちらの情報に基づくかを判定するための情報として、第一定着器１５０で定着処理した記録材１０２の枚数の累積カウントを示す情報を保持させる。
【０３２９】
以下では、実施例３との差分を中心に説明する。尚、その他の構成は実施例１や実施例３に同様であるから、詳細な説明を省略する。
【０３３０】
尚、第一定着器１５０を例に説明するが、第二定着器１７０においても同様である。
【０３３１】
本実施例では、定着記憶部としての第一定着器１５０のメモリ１５４は、クリーニング情報と、第一定着器１５０で定着処理した記録材１０２の枚数の累積カウントを示す情報（枚数情報）とを保持する。さらに、メモリ１５４には、他の定着器と識別するための識別情報として、定着器のＩＤ（例えば、“定着器Ａ”）を保持しており、メモリ１５４は識別部として機能する。
【０３３２】
一方、本体記憶部としての本体メモリ３１２には、クリーニング情報と、カウント値と、第一定着器１５０の定着器のＩＤと、を対応付けて保持させるようにする。
【０３３３】
具体的なクリーニング情報としては、実施例１と同様に本体メモリ３１２とメモリ１５４に“履歴あり”又は“履歴なし”というジャム履歴の情報を保持させる。
【０３３４】
ここで、枚数情報は、メモリ１５４が記憶しているクリーニング情報と本体メモリ３１２が記憶しているクリーニング情報のうちどちらのクリーニング情報に基づくかを判定するために記憶させている。
【０３３５】
図２に示すカウンター３１４は、第一定着器１５０にて定着処理をされるために第一定着器１５０内に搬送された記録材１０２の枚数をカウントする。具体的には、記録材１０２の第一定着器１５０内への搬送に伴い、センサ１５５が記録材１０２の通過を検出する。ＣＰＵ３０１は、センサ１５５が記録材１０２の通過を検出する毎に、カウンター３１４にカウント値を増加させる。
【０３３６】
ＣＰＵ３０１は、メモリ１５４と本体メモリ３１２にクリーニング情報を記録する際に、カウンター３１４が示すカウント値を基にメモリ１５４と本体メモリ３１２の枚数情報を更新する。
【０３３７】
ＣＰＵ３０１は、本体メモリ３１２とメモリ１５４が保持しているクリーニング情報のうち、より新しい方のクリーニング情報に基づいて、クリーニング処理を実行させる。
【０３３８】
具体的には、ＣＰＵ３０１は、画像形成装置１００に装着された第一定着器１５０のメモリ１５４が記憶している枚数情報と、本体メモリ３１２が記憶している枚数情報とを比較し、どちらの枚数情報の累積枚数が多いかを判定する。ＣＰＵ３０１は、より多い枚数を示す枚数情報に対応付けられたクリーニング情報が、定着部でのジャムの解消に伴って行われるクリーニング処理が未実行であることを示す場合、クリーニング処理を実行させる。
【０３３９】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。その為、ＣＰＵ３０１は、電源スイッチ１０１がオンになったことや、前扉１４０が閉じられたことに伴い、都度、第一定着器１５０のメモリ１５４と本体メモリ３１２から情報を読み出し、第一定着器１５０についてのジャム履歴を確認する。これによって、ジャムの解消に伴うクリーニング処理が実行されていない第一定着器１５０が画像形成装置１００に装着されても、クリーニング処理が実行されることになるため、出力される記録材１０２の画質が悪化することを抑制することができる。
【０３４０】
また、本体メモリ３１２とメモリ１５４に、ジャム履歴（クリーニング情報）と併せて枚数情報を記録することにより、より新しいクリーニング情報に基づいてクリーニング処理を実行させることができる。これにより、例えば他の画像形成装置（構成は画像形成装置１００と同様）におけるジャムに伴うクリーニング処理が未実行の第一定着器１５０が画像形成装置１００に装着されても、出力される記録材１０２の画質が悪化することを抑制することができる。
【０３４１】
（１５．制御フロー４）
以下では、前述の実施例３から流用する図１６〜図１８のフローチャートと図２０を用いて説明する。その他の構成は上述の実施例３と同様であるので、詳細な説明を省略する。尚、図面は、図１８のＳ１３０４、Ｓ１３１０において、“回数”の表記を“枚数”と読みかえることで理解されるものである。
【０３４２】
電源オン時及び前扉クローズ時のシークエンス（図１６、図１７）については、実施例３と同様であるから説明を省略する。
【０３４３】
図１８の立上げシークエンス３において、Ｓ１３０１〜Ｓ１３０３については、実施例３と同様であるから説明を省略する。
【０３４４】
Ｓ１３０３（図１８）でＹｅｓの場合、ＣＰＵ３０１はメモリ１５４のジャム履歴と本体メモリ３１２のジャム履歴のどちらの情報に基づくかを判定する（Ｓ１３０４）。具体的には、ＣＰＵ３０１は、メモリ１５４が保持している枚数情報の値が第一定着器１５０のＩＤに対応付けて本体メモリ３１２に記録されている枚数情報の値より多いか否かを判定する。
【０３４５】
メモリ１５４が保持している枚数情報が、その第一定着器１５０のＩＤに対応付けて本体メモリ３１２に記録されている枚数情報よりも、多い回数を示している場合、ＣＰＵ３０１は、Ｓ１３０５に移行する（Ｓ１３０４  Ｙｅｓ）。
【０３４６】
一方、メモリ１５４が保持している枚数情報よりも、第一定着器１５０のＩＤに対応付けて本体メモリ３１２に記録されている枚数情報の方が多い値を示している場合、ＣＰＵ３０１は、Ｓ１３０６に移行する（Ｓ１３０４  Ｎｏ）。また、メモリ１５４が保持している枚数情報と第一定着器１５０のＩＤに対応付けて本体メモリ３１２に記録されている枚数情報が同じ回数を示している場合も、ＣＰＵ３０１は、Ｓ１３０６に移行する（Ｓ１３０４  Ｎｏ）。
【０３４７】
Ｓ１３０５〜Ｓ１３０９については、実施例３と同様であるから説明を省略する。
【０３４８】
Ｓ１３１０において、ＣＰＵ３０１はメモリ１５４と本体メモリ３１２に、枚数情報を記録する。尚、本体メモリ３１２には、第一定着器１５０のＩＤに対応させて記録する。Ｓ１３０４で比較した枚数情報（メモリ１５４が保持している枚数情報と、第一定着器１５０のＩＤに対応付けて本体メモリ３１２に記録されている枚数情報）が示す枚数のうち多い方の枚数をＬとするとき、Ｓ１３１０においてＬを枚数情報として記録する。ここで、Ｌは０以上の整数とする。また、Ｓ１３０４で比較した枚数情報（メモリ１５４が保持している枚数情報と、第一定着器１５０のＩＤに対応付けて本体メモリ３１２に記録されている枚数情報）が示す枚数が同じ場合、その枚数は変更しない。ここで、ＣＰＵ３０１は、カウンター３１４のカウント値をゼロにしておく。
【０３４９】
Ｓ１３１１〜Ｓ１３０９については、実施例３と同様であるから説明を省略する。
【０３５０】
図２０の定着部でのジャム発生時の処理に関するフローチャート４である。
【０３５１】
画像形成装置１００が印刷できる状態であるスタンバイモードにおいて、操作部１８０や、外部Ｉ／Ｆ部３０４を介して外部のＰＣ等から印刷ジョブを受け付ける。すると、ＣＰＵ３０１はステーション１２０〜１２３や第一定着器１５０や第二定着器１７０などの画像形成装置１００の各機構を制御することにより、画像形成装置１００による画像形成動作を開始、つまり、印刷ジョブを開始させる（Ｓ１５０１）。印刷ジョブが開始されると、カウンター３１４はカウントを開始する。カウンター３１４は、定着処理のために記録材１０２が第一定着器１５０内に搬送される毎にその値を１ずつ足す。
【０３５２】
ＣＰＵ３０１は印刷ジョブが終了したら、Ｓ１５１５に移行する。（Ｓ１５０２）。
【０３５３】
Ｓ１５１５において、ＣＰＵ３０１はメモリ１５４と本体メモリ３１２に、枚数情報を記録する。枚数情報は、既にメモリ１５４と本体メモリ３１２に記録されている枚数情報の回数をＳ、カウンター３１４のカウント値をＴとするとき、枚数情報がＳ＋Ｔとなるように記録する。ここで、Ｓ、Ｔは０以上の整数である。尚、本体メモリ３１２には、第一定着器１５０のＩＤに対応させて記録する。ＣＰＵ３０１は、メモリ１５４と本体メモリ３１２に、枚数情報を記録したら、カウンター３１４のカウント値をゼロにしておく。
【０３５４】
最新の枚数情報をメモリ１５４に記録することで、印刷ジョブ終了後に第一定着器１５０が画像形成装置１００から取り外され、他の画像形成装置１００に装着された場合、メモリ１５４が有するクリーニング情報が最新のものであることを示すことができる。
【０３５５】
ＣＰＵ３０１は、印刷ジョブが終了していない段階（Ｓ１５０２）で、画像形成装置１００内でのジャムを検知すると（Ｓ１５０３）、画像形成装置１００による画像形成動作を停止、つまり、印刷ジョブを中断させる（Ｓ１５０４）。ここで、ＣＰＵ３０１は、センサ群３０６からの信号により、画像形成装置１００内でのジャムを検知する。
【０３５６】
画像形成装置１００内でのジャムを検知しない場合、ＣＰＵ３０１は印刷ジョブが終わるまで印刷ジョブを続行させる（Ｓ１５０２、Ｓ１５０３）。
【０３５７】
Ｓ１５０５〜Ｓ１５０９は、図１９のＳ１４０１〜Ｓ１４０９と同様であるから説明を省略する。
【０３５８】
Ｓ１５１０において、ＣＰＵ３０１はメモリ１５４と本体メモリ３１２に、枚数情報を記録する。枚数情報は、既にメモリ１５４と本体メモリ３１２に記録されている枚数情報の回数をＳ、カウンター３１４のカウント値をＴとするとき、枚数情報がＳ＋Ｔとなるように記録する。ここで、Ｓ、Ｔは０以上の整数である。尚、本体メモリ３１２には、第一定着器１５０のＩＤに対応させて記録する。ＣＰＵ３０１は、メモリ１５４と本体メモリ３１２に、枚数情報を記録したら、カウンター３１４のカウント値をゼロにしておく。
【０３５９】
尚、枚数情報は、電源ＯＮ時や前扉１４０の開放、ジャム処理に伴って行われる上述の立上げシークエンス３（図１８）のＳ１３１０により、メモリ１５４に記録されている枚数情報と本体メモリ３１２に記録されている枚数情報は同じ枚数が記録されている。
【０３６０】
Ｓ１５１１〜Ｓ１５１４については、Ｓ１４１１〜Ｓ１４１４と同様であるから説明を省略する。
【０３６１】
尚、本実施例では、Ｓ１５１５において枚数情報を本体メモリ３１２とメモリ１５４に記録する構成としたが、次の構成としてもよい。ＣＰＵ３０１は、第一定着器１５０が記録材１０２を定着処理する毎に、本体メモリ３１２とメモリ１５４の枚数情報を更新して記録する構成としてもよい。つまり、本体メモリ３１２とメモリ１５４の枚数情報は、第一定着器１５０が記録材１０２を１枚定着処理する毎に、１ずつ増える。
【０３６２】
また、本実施例では、Ｓ１３１０、Ｓ１５１０、Ｓ１５１５において、カウンター３１４の値をゼロとしたが、カウンター３１４の値を第一定着器１５０についての枚数情報の値にセットする構成としてもよい。すなわち、メモリ１５４が保持している枚数情報と、第一定着器１５０のＩＤに対応付けて本体メモリ３１２に記録されている枚数情報が示す枚数が異なる場合は、多い方の枚数の値をカウンター３１４にセットする。これらの枚数情報が同じ枚数を示す場合は、その枚数の値をカウンター３１４にセットする。この場合、Ｓ１５１０、Ｓ１５１５でＣＰＵ３０１がメモリ１５４と本体メモリ３１２に記録する枚数情報は、カウンター３１４のカウント値Ｔとなる。
【０３６３】
尚、以上の説明では、実施例３と同様に、実施例１と差分を説明したが、実施例２の構成を基に時刻情報の代わりに第一定着器１５０で定着処理した記録材１０２の枚数の累積カウントを示す情報を保持させる構成としてもよい。その詳細は、以上の説明から当業者に十分に理解されるものであるから、説明を省略する。
【０３６４】
〔変形例１〕
以上では、識別情報としての定着器のＩＤをメモリ１５４、１７４がそれぞれ記憶しており、メモリ１５４、１７４が識別部としても機能する構成としたが、定着器を識別する方法はこれに限らない。
【０３６５】
例えば、識別部としての抵抗体を第一定着器１５０、第二定着器１７０、載せ替え用の定着器として画像形成装置１００外に用意されている定着器のそれぞれに設ける構成である。
【０３６６】
これらの抵抗体（第一定着器１５０、第二定着器１７０、載せ替え用の定着器に設けられている抵抗体）は、識別情報を示すために互いに異なる抵抗値のものが用いられている。
【０３６７】
ＣＰＵ３０１は、第一定着器１５０が画像形成装置１００に装着された状態で、第一定着器１５０の抵抗体に規定電圧を印加した際に抵抗体に流れる電流値を検出する。
【０３６８】
具体的には、画像形成装置１００は、第一定着器１５０を識別する手段として、抵抗体に規定電圧を印加する電圧印加部と抵抗体に流れる電流を計測する電流計とを有している。ＣＰＵ３０１はこの電流計の出力をモニタする構成となっている。
【０３６９】
オームの法則により規定電圧を印加するとき、抵抗値と電流値は一対一に対応する。ＣＰＵ３０１は、電流計の出力を取得することにより、抵抗体の抵抗値を求めることができる。第一定着器１５０と載せ替え用の定着器は互いに異なる抵抗値の抵抗体を備えているので、ＣＰＵ３０１は、電流計の出力の違いから定着器を識別することができる。すなわち、抵抗値が識別情報を示している。
【０３７０】
ＣＰＵ３０１は、装着されている第一定着器１５０の抵抗体から取得した抵抗値を定着器のＩＤとして、クリーニング情報と時刻と対応付けて本体メモリ３１２に保持させる。
【０３７１】
この場合、ＣＰＵ３０１は、図６のＳ３０１（実施例１）や図１０のＳ５０１（実施例２）、図１８のＳ１３０１において、第一定着器１５０のメモリ１５４の情報を読み出すのに併せて、以上の方法で、第一定着器１５０の抵抗体の抵抗値を取得する。
【０３７２】
尚、本体メモリ３１２への定着器のＩＤの書き込み（記録）方法は、抵抗値を識別情報として記録する方法に限らない。例えば、本体メモリ３１２内に、抵抗体の抵抗値と定着器の名称を対応させる表を保持させておき、定着器の名称（例えば、定着器Ａ）とクリーニング情報（例えば、ジャム履歴の“履歴あり”）と対応付けて記録するようにしてもよい。
【０３７３】
また、ＣＰＵ３０１は、電流計の出力を取得することにより、抵抗体の抵抗値を求めず、抵抗体の抵抗値ごとに異なる電流計の出力値を識別情報として取得してもよい。すなわち、ＣＰＵ３０１は定着器のＩＤとして電流計の出力値を本体メモリ３１２に記録する構成としてもよい。
【０３７４】
第二定着器１７０を識別する手段についても同様である。
【０３７５】
この場合、図２に示す識別部材３１１は、第一定着器１５０を識別する手段としての電圧印加部と電流計、及び、第二定着器１７０を識別する手段としての電圧印加部と電流計を示す。ＣＰＵ３０１は、識別部材３１１と接続しており、画像形成装置１００に装着されている第一定着器１５０や第二定着器１７０を識別する。第一定着器１５０が画像形成装置１００に装着されると、識別部材３１１は第一定着器１５０が有する抵抗体と電気的に接続できるようになる。また、第二定着器１７０が画像形成装置１００に装着されると、識別部材３１１は、第二定着器１７０が有する抵抗体と電気的に接続できるようになる。
【０３７６】
〔変形例２〕
また、定着器を識別する方法の他の例として、例えば、定着器（第一定着器１５０、第二定着器１７０、載せ替え用の定着器）に識別部として、複数のスイッチを備えるディップスイッチを設ける構成としてもよい。
【０３７７】
具体的には、識別情報として、定着器ごとに異なるスイッチが予めＯＮされた状態となっている（定着器ごとにＯＮ状態のスイッチの位置の組み合わせが異なる）。ＣＰＵ３０１と画像形成装置１００に装着されている定着器のディップスイッチは接続されており、ＯＮ状態のスイッチはＣＰＵ３０１からの入力信号に応答してＣＰＵ３０１へ信号を出力する。ＣＰＵ３０１はＯＮ状態のスイッチからの信号を検出する（定着器のＩＤを取得する）ことにより、定着器を識別する。
【０３７８】
例えば、ＣＰＵ３０１は１番と２番のスイッチの両方に信号を入力させたとする。その結果、１番のスイッチの出力信号を検出した場合は定着器Ａ、２番のスイッチの出力信号を検出した場合は定着器Ｂ、１番と２番のスイッチの両方の出力信号を検出した場合は定着器Ｃと判定する。
【０３７９】
この場合、図２に示す識別部材３１１は、第一定着器１５０を識別するためのディップスイッチと、第二定着器１７０を識別するためのディップスイッチを示す。ＣＰＵ３０１は、装着されている第一定着器１５０や第二定着器１７０のディップスイッチ（識別部材３１１）と接続しており、画像形成装置１００に装着されている第一定着器１５０や第二定着器１７０を識別する。
【０３８０】
〔変形例３〕
以上の説明では、ＣＰＵ３０１は、定着部でのジャムの解消に伴って行われるクリーニング処理が実行済みである場合には、クリーニング処理を実行させずにウォームアップ処理を実行させるとしたが、後述のような例外処理を実行する構成としてもよい。つまり、本例では、このような例外処理を実行する場合があっても、「定着部でのジャムの解消に伴って行われるクリーニング処理が実行済みである場合に、クリーニング処理を実行させずにウォームアップ処理を実行させる」ということを意味する。
【０３８１】
具体的には、ＣＰＵ３０１は、定着部でのジャムの解消に伴って行われるクリーニング処理が実行済みであっても、例外的に、稀に、クリーニング処理を実行させる構成としてもよい。
【０３８２】
例えば、複数回の定着処理を経て蓄積された定着ローラ１５１のトナー汚れを除去する目的で、ＣＰＵ３０１は立上げシークエンスの累積の実行回数１００回に１回の割合で、クリーニング処理が実行済みである場合にもクリーニング処理を実行させる。この場合、ＣＰＵ３０１は、第一定着器１５０での立上げシークエンスの累積の実行回数を本体メモリ３１２に記録し、この記録された累積の実行回数に基づいて例外処理を実行する。尚、ＣＰＵ３０１は、第一定着器１５０での立上げシークエンスの累積の実行回数を記憶装置２００に記録する構成としてもよい。
【０３８３】
ただし、クリーニング処理が実行済みである場合にもクリーニング処理を実行させると、電源スイッチ１０１をオンにしてから画像形成装置１００が画像形成を開始可能となるまでの時間を短縮することができない。そのため、本変形例は例外的に実行するものとし、上述のようにクリーニング処理が実行済みである場合には、クリーニング処理を実行させないとする構成の方がより好ましい。
【０３８４】
尚、第一定着器１５０を例に説明したが、第二定着器１７０においても同様である。
【０３８５】
〔変形例４〕
以上で説明した画像形成装置１００を複数の画像形成装置に適用し、複数の画像形成装置１００を備える画像形成システムとして構成してもよい。
【０３８６】
〔変形例５〕
以上の説明では、操作部１８０は表示画面と選択キーとを備えるが、表示画面をタッチパネルとして、タッチパネルの画面が選択部として操作者の動作指示を受け付けてもよい。
【０３８７】
〔変形例６〕
載せ替えシステムの運用においては、操作者は、自身が印刷したい記録材１０２の種類や好みに応じた定着器に入れ替えて使用する。このとき、操作者が印刷したい記録材１０２に合わせた定着器を使用しないと、より高品質な成果物を得ることができるといった載せ替えシステム採用時のメリットが得られない恐れがある。そこで、画像形成装置１００は、操作者が印刷したい記録材１０２と定着器の用途が一致しているか否かを操作者に知らせるようにしてもよい。
【０３８８】
以下では、定着器の用途と印刷する記録材１０２の種類を対応させる方法について、前述の図６、図７（実施例１）に補足する形で説明する。その他の構成は上述の実施例１と同様であるので、詳細な説明を省略する。また、第一定着器１５０を例に説明するが、第二定着器１７０においても同様である。
【０３８９】
第一定着器１５０のメモリ１５４は、第一定着器１５０による定着処理を制限する記録材１０２の種類を示す制限情報を記憶しており、制限情報部として機能する。
【０３９０】
図６のＳ３０１において、ＣＰＵ３０１は、画像形成装置１００に装着された第一定着器１５０のメモリ１５４の情報を取得するのに併せて、制限情報を取得する。ＣＰＵ３０１は、この制限情報に基づいて、第一定着器１５０に対して定着処理を制限すべき記録材１０２の種類を把握する。
【０３９１】
図７のＳ４０１において、ＣＰＵ３０１は、操作者から印刷ジョブを受け付ける際に印刷に使用する記録材１０２の種類を操作者に選択させるための選択画面において、第一定着器１５０での定着処理を制限すべき記録材１０２の種類を選択不可にする。
【０３９２】
これによって、操作者が印刷したい記録材１０２に対応しない第一定着器１５０での印刷を制限することができ、より高品質な成果物を得られる。
【０３９３】
尚、第一定着器１５０を例に説明したが、第二定着器１７０においても同様であるから、説明を省略する。
【０３９４】
尚、本変形例では制限情報部としてメモリ１５４、１７４を用いる構成としたが、以下の構成としてもよい。
【０３９５】
例えば、抵抗体を用いる構成である。第一定着器１５０は、制限情報部として機能する抵抗体を備える。また、載せ替え用の定着器として画像形成装置１００外に用意されている定着器にも同様に、制限情報部としての抵抗体が設けられている。この抵抗値は、第一定着器１５０による定着処理を制限する記録材１０２の種類ごとに異なっており、第一定着器１５０による定着処理を制限する記録材１０２の種類を示す制限情報として機能する。ＣＰＵ３０１が制限情報を取得する方法は、定着器のＩＤを抵抗体から取得する方法（前述の変形例）と同様であるから、説明を省略する。
【０３９６】
本体メモリ３１２には、抵抗体（制限情報部）の抵抗値（制限情報）に対応させて定着処理を制限する記録材１０２の種類を示す情報が予め格納されている。例えば、抵抗値がＲ４の場合は封筒の定着を制限し、抵抗値がＲ５の場合は厚紙の定着を制限するなどである。
【０３９７】
尚、定着処理を制限する記録材１０２の種類に対応する情報を、本体メモリ３１２が制限情報と対応させて記憶する構成ではなくてもよい。例えば、ＣＰＵ３０１が実行するプログラムを、抵抗体（制限情報部）の抵抗値に応じて所定の種類の記録材１０２の定着処理を制限するプログラムとして構成する。この場合、このプログラムはＲＯＭ３０３に格納されている。
【０３９８】
また、例えば、定着器（第一定着器１５０、第二定着器１７０、載せ替え用の定着器）に設ける制限情報部として、複数のスイッチを備えるディップスイッチを用いる構成としてもよい。この場合、制限情報として定着処理を制限する記録材１０２の種類ごとに異なるスイッチが予めＯＮされた状態となっており、ＣＰＵ３０１はＯＮ状態のスイッチからの信号を基に定着処理が制限される記録材１０２の種類を把握する。その他の構成は、上述の識別部としてディップスイッチを設ける構成と同様であるから説明を省略する。
【０３９９】
尚、本変形例では、制限情報部と識別部を別体として定着器に設ける構成としたが、同一の抵抗体やメモリに制限情報部と識別部の機能を持たせる構成としてもよい。
【０４００】
また、本変形例は、実施例１に補足する形で説明したが、実施例２〜４に適用してもよい。実施例２〜４に適用する場合も同様であるから、説明は省略する。
【０４０１】
〔変形例７〕
また、回収回転体は、定着ローラ１５１、１７１の外側から定着ローラ１５１、１７１を加熱するために内部にヒーターを備える中空ローラ（外部加熱部材）であってもよい。
【０４０２】
また、以上の説明ではクリーニング部を定着ローラ１５１側に設けているが、加圧ベルト１５２（回転体として機能する）側に設けて、定着ローラ１５１表面のトナーを加圧ベルト１５２に転移させてからクリーニングする構成としてもよい。その場合には、クリーニング処理において、定着ローラ１５１表面のトナーを加圧ベルト１５２に転移させるために定着ローラ１５１と加圧ベルト１５２を当接させる。また上述した例と同様に、クリーニング処理を始める前にまず加圧ベルト１５２をトナーが固まらない程度に加熱させて、その後、クリーニング処理を実行させるのが望ましい。第二定着器１７０においても同様である。
【０４０３】
また、以上の説明では、ウェブクリーナー（１５６〜１６０）を用いて定着部（第一定着器１５０、第二定着器１７０）でのジャムの解消に伴い実行されるクリーニング処理を行う構成としているが、クリーニング処理を行う構成はこれに限らない。例えば、定着ローラ１５１、１７１にスポンジ状のローラを従動回転させることでクリーニング処理を行う構成としてもよい。
【０４０４】
〔変形例８〕
また以上の説明では、定着部（第一定着器１５０、第二定着器１７０）でのジャムの解消に伴い実行されるクリーニング処理をウェブクリーナー（１５６〜１６０）を用いて行う構成としているが、次のような構成としてもよい。
【０４０５】
記録材１０２を用いてクリーニング処理を行う構成である。
【０４０６】
この手法によれば、上述したウェブクリーナーのようなクリーニング機構が設けられていない場合でも、定着部でのジャムの発生に伴う定着ローラ１５１や定着ローラ１７１のトナー汚れを除去することができる。具体的には、クリーニング処理を行う際には、所定枚数の記録材１０２を定着部（第一定着器１５０、第二定着器１７０）に強制的に通過させて、トナー汚れを記録材１０２に転移させる、というものである。その後、トナーが転移された記録材１０２は、画像形成装置１００外に排出される。
【０４０７】
ＣＰＵ３０１は、本体メモリ３１２が記憶する情報がクリーニング処理が未実行であることを示している場合、搬送部３０８を制御して所定枚数の記録材１０２を第一定着器１５０（第二定着器１７０）へ連続して搬送し、機外に排出させる。
【０４０８】
尚、実施例３においては、記憶装置２００が記憶する情報がクリーニング処理が未実行であることを示している場合、搬送部３０８を制御して所定枚数の記録材１０２を第一定着器１５０（第二定着器１７０）へ連続して搬送し、機外に排出させる。
【０４０９】
尚、第二定着器１７０においても同様である。
【０４１０】
また、搬送する記録材１０２の枚数は、予め適宜設定しておけばよく、本変形例では１０枚となっている。
【０４１１】
〔変形例９〕
また、以上では、第一定着器１５０と第二定着器１７０を備える画像形成装置１００を例に説明した（タンデム定着）。しかし画像形成装置１００は第一定着器１５０のみを有する構成としてもよい。
【０４１２】
〔変形例１０〕
また、以上では、画像形成装置１００は、イエロー、マゼンタ、シアン、ブラックのトナー像を形成する像形成部（ステーション１２０〜１２３）を有するカラーの画像形成装置を例に説明したが、単色の画像形成装置であってもよい。例えば、ブラックのトナー画像を形成するモノクロの画像形成装置などである。
【０４１３】
〔変形例１１〕
また、以上の説明では、画像形成装置１００は、中間転写体としての中間転写ベルト１１５を有する構成（中間転写方式）としたが、以下の構成（直接転写方式）としてもよい。
【０４１４】
この場合、画像形成部３０９として、像形成部（ステーション１２０〜１２３）と、転写部として機能する転写搬送ベルトとを備える。像形成部（ステーション１２０〜１２３）は、転写搬送ベルトと当接するように設けられている。画像形成装置１００は、記録材１０２を、記録材収納部１０３から転写搬送ベルトへ搬送する。転写搬送ベルトは、記録材１０２と静電吸着しながら記録材１０２を搬送するベルトであって、転写搬送ベルトを介して像形成部と対向する位置（ベルトの内周側）に転写ローラを備える。転写ローラは、像担持体上に形成されたトナー像を、転写搬送ベルトにより搬送される記録材１０２に転写する。これにより、記録材１０２にトナー像（未定着）を形成する。
【符号の説明】
【０４１５】
１００  画像形成装置
１０２  記録材
１４１  第一装着部
１４２  第二装着部
１５０  第一定着器
１５１  定着ローラ
１５３  センサ
１５４  メモリ
１５５  センサ
１５６  回収ローラ
１５７  巻き取りローラ
１５８  押圧ローラ
１５９  供給ローラ
１６０  ウェブ
１７０  第二定着器
１７１  定着ローラ
１７３  センサ
１７４  メモリ
１７５  センサ
１８０  報知部
３０１  ＣＰＵ
３０９  画像形成部
３１２  本体メモリ
【図１】
2017015915.tif 000003
【図２】
2017015915.tif 000004
【図３】
2017015915.tif 000005
【図４】
2017015915.tif 000006
【図５】
2017015915.tif 000007
【図６】
2017015915.tif 000008
【図７】
2017015915.tif 000009
【図８】
2017015915.tif 000010
【図９】
2017015915.tif 000011
【図１０】
2017015915.tif 000012
【図１１】
2017015915.tif 000013
【図１２】
2017015915.tif 000014
【図１３】
2017015915.tif 000015
【図１４】
2017015915.tif 000016
【図１５】
2017015915.tif 000017
【図１６】
2017015915.tif 000018
【図１７】
2017015915.tif 000019
【図１８】
2017015915.tif 000020
【図１９】
2017015915.tif 000021
【図２０】
2017015915.tif 000022
【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体と、前記画像形成装置の本体に着脱可能な他の定着部と識別するための識別部と、情報を記憶可能な定着記憶部と、を備える定着部と、
前記定着部でのジャムを検知するジャム検知部と、
前記ジャム検知部が検知したジャムの解消に伴う前記回転体のクリーニング処理を実行させる実行部と、
情報を記憶可能な本体記憶部と、
前記クリーニング処理が実行されたか否かに対応するクリーニング情報と前記識別部に基づく識別情報とを対応付けて前記本体記憶部に記録する記録部であって、前記クリーニング情報を前記定着記憶部に記録する記録部と、
前記画像形成装置が記録材への画像形成を実行できる状態であることを操作者に報知する報知部と、
を有し、
前記実行部は、前記本体記憶部と前記定着記憶部から取得する情報に基づき、前記画像形成装置の本体に装着されている前記定着部に前記クリーニング処理が実行されていないと判別した場合、前記報知部が報知を行う前に前記クリーニング処理を実行させることを特徴とする画像形成装置。
【請求項２】
時刻に対応する情報を出力する出力部を有し、
前記記録部は、前記クリーニング情報と前記識別情報と前記出力部による時刻情報とを対応付けて前記本体記憶部に記録する記録部であって、前記クリーニング情報と前記時刻情報とを対応付けて前記定着記憶部に記録し、
前記実行部は、前記画像形成装置の本体に装着されている前記定着部に対応する前記クリーニング情報が前記識別情報に基づき前記本体記憶部に記憶されていると判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が実行されていないことを示している場合、前記報知部が報知を行う前に前記クリーニング処理を実行させることを特徴とする請求項１に記載の画像形成装置。
【請求項３】
前記画像形成装置の本体に装着されている前記定着部に対応する前記クリーニング情報が前記識別情報に基づき前記本体記憶部に記憶されていると前記実行部が判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が実行済みであることを示している場合、
前記実行部は前記クリーニング処理を実行させず、前記報知部は前記画像形成装置が記録材への画像形成を実行できる状態となったことに伴い報知を行うことを特徴とする請求項２に記載の画像形成装置。
【請求項４】
前記識別情報に対応する前記クリーニング情報を前記本体記憶部から取得できない場合であって、前記定着記憶部から取得する前記クリーニング情報が前記クリーニング処理が実行されていないことを示している場合、前記実行部は、前記報知部が報知を行う前に前記クリーニング処理を実行させることを特徴とする請求項２又は３に記載の画像形成装置。
【請求項５】
前記クリーニング処理が中断された場合、前記記録部は前記クリーニング情報として前記クリーニング処理が実行されていないことを示す情報を記録することを特徴とする請求項２乃至４のいずれか１項に記載の画像形成装置。
【請求項６】
前記実行部は、前記画像形成装置の本体に装着されている前記定着部に対応した前記クリーニング情報が前記識別情報に基づき前記本体記憶部に記憶されていると判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が中断されたことを示している場合、前記報知部が報知を行うまでに、前記クリーニング処理よりも前記回転体をクリーニングする時間が短いクリーニング処理を実行させることを特徴とする請求項２乃至４のいずれか１項に記載の画像形成装置。
【請求項７】
第１のモードと第２のモードとを含む複数のモードの中から１つのモードを選択させる選択部を有し、
前記第１のモードは、前記画像形成装置の本体に装着されている前記定着部に対応した前記クリーニング情報が前記識別情報に基づき前記本体記憶部に記憶されていると前記実行部が判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が中断されたことを示す場合、前記報知部が報知を行うまでに前記実行部が前記クリーニング処理を実行させるモードであり、
前記第２のモードは、前記画像形成装置の本体に装着されている前記定着部に対応した前記クリーニング情報が前記識別情報に基づき前記本体記憶部に記憶されていると前記実行部が判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が中断されたことを示す場合、前記報知部が報知を行うまでに前記実行部が前記クリーニング処理よりも前記回転体をクリーニングする時間が短いクリーニング処理を実行させるモードであることを特徴とする請求項２乃至４のいずれか１項に記載の画像形成装置。
【請求項８】
前記記録部は、前記ジャム検知部が前記定着部でのジャムを検知したことに伴い、前記クリーニング情報として前記クリーニング処理が実行されていないことを示す情報を、前記出力部による第一の時刻情報と前記識別情報に対応付けて前記本体記憶部に記録し、
前記記録部は、前記ジャム検知部が前記定着部でのジャムを検知したことに伴い、前記クリーニング情報として前記クリーニング処理が実行されていないことを示す情報を、前記第一の時刻情報に対応付けて前記定着記憶部に記録することを特徴とする請求項２乃至７のいずれか１項に記載の画像形成装置。
【請求項９】
前記記録部は、前記実行部による前記クリーニング処理が実行されてから前記画像形成装置が記録材への画像形成を開始するまでの間に、前記クリーニング情報として前記クリーニング処理が実行済みであることを示す情報を、前記出力部による第二の時刻情報と前記識別情報とを対応付けて前記本体記憶部に記録し、
前記記録部は、前記実行部による前記クリーニング処理が実行されてから前記画像形成装置が記録材への画像形成を開始するまでの間に、前記クリーニング処理が実行済みであることを示す情報を、前記第二の時刻情報に対応付けて前記定着記憶部に記録することを特徴とする請求項８に記載の画像形成装置。
【請求項１０】
前記定着部に設けられ、前記回転体を加熱する加熱部と、
前記定着部に設けられ、前記回転体の温度を検知する温度検知部と、を有し、
前記実行部は、前記画像形成装置の本体に装着されている前記定着部に対応した前記クリーニング情報が前記識別情報に基づき前記本体記憶部に記憶されていると判別した場合であって、前記定着記憶部から取得する時刻情報と前記本体記憶部から取得する前記識別情報に対応した時刻情報のうちより新しい時刻情報に対応付けられた前記クリーニング情報が前記クリーニング処理が実行されていないことを示している場合、前記加熱部により加熱された前記回転体が所定の温度になったことを前記温度検知部が検知したことに伴い前記クリーニング処理を開始させることを特徴とする請求項２乃至９のいずれか１項に記載の画像形成装置。
【請求項１１】
前記定着記憶部は、前記記録部により記録された累積回数を示す回数情報を記憶し、
前記記録部は、前記クリーニング情報を前記定着記憶部に記録するとともに、前記定着記憶部が記憶する前記回数情報を更新する記録部であって、更新した前記回数情報を前記クリーニング情報と前記識別情報とを対応付けて前記本体記憶部に記録し、
前記実行部は、前記画像形成装置の本体に装着されている前記定着部に対応する前記クリーニング情報が前記識別情報に基づき前記本体記憶部に記憶されていると判別した場合であって、前記定着記憶部から取得する回数情報と前記本体記憶部から取得する前記識別情報に対応した回数情報のうちより多い回数を示す回数情報に対応付けられた前記クリーニング情報が前記クリーニング処理が実行されていないことを示している場合、前記報知部が報知を行う前に前記クリーニング処理を実行させることを特徴とする請求項１に記載の画像形成装置。
【請求項１２】
前記画像形成装置の本体に装着されている前記定着部に対応する前記クリーニング情報が前記識別情報に基づき前記本体記憶部に記憶されていると前記実行部が判別した場合であって、前記定着記憶部から取得する回数情報と前記本体記憶部から取得する前記識別情報に対応した回数情報のうちより多い回数を示す回数情報に対応付けられた前記クリーニング情報が前記クリーニング処理が実行済みであることを示している場合、
前記実行部は前記クリーニング処理を実行させず、前記報知部は前記画像形成装置が記録材への画像形成を実行できる状態となったことに伴い報知を行うことを特徴とする請求項１１に記載の画像形成装置。
【請求項１３】
前記識別情報に対応する前記クリーニング情報を前記本体記憶部から取得できない場合であって、前記定着記憶部から取得する前記クリーニング情報が前記クリーニング処理が実行されていないことを示している場合、前記実行部は、前記報知部が報知を行う前に前記クリーニング処理を実行させることを特徴とする請求項１１又は１２に記載の画像形成装置。
【請求項１４】
前記クリーニング処理が中断された場合、前記記録部は前記クリーニング情報として前記クリーニング処理が実行されていないことを示す情報を記録することを特徴とする請求項１１乃至１３のいずれか１項に記載の画像形成装置。
【請求項１５】
前記実行部は、前記画像形成装置の本体に装着されている前記定着部に対応した前記クリーニング情報が前記識別情報に基づき前記本体記憶部に記憶されていると判別した場合であって、前記定着記憶部から取得する回数情報と前記本体記憶部から取得する前記識別情報に対応した回数情報のうちより多い回数を示す回数情報に対応付けられた前記クリーニング情報が前記クリーニング処理が中断されたことを示している場合、前記報知部が報知を行うまでに、前記クリーニング処理よりも前記回転体をクリーニングする時間が短いクリーニング処理を実行させることを特徴とする請求項１１乃至１３のいずれか１項に記載の画像形成装置。
【請求項１６】
第１のモードと第２のモードとを含む複数のモードの中から１つのモードを選択させる選択部を有し、
前記第１のモードは、前記画像形成装置の本体に装着されている前記定着部に対応した前記クリーニング情報が前記識別情報に基づき前記本体記憶部に記憶されていると前記実行部が判別した場合であって、前記定着記憶部から取得する回数情報と前記本体記憶部から取得する前記識別情報に対応した回数情報のうちより多い回数を示す回数情報に対応付けられた前記クリーニング情報が前記クリーニング処理が中断されたことを示す場合、前記報知部が報知を行うまでに前記実行部が前記クリーニング処理を実行させるモードであり、
前記第２のモードは、前記画像形成装置の本体に装着されている前記定着部に対応した前記クリーニング情報が前記識別情報に基づき前記本体記憶部に記憶されていると前記実行部が判別した場合であって、前記定着記憶部から取得する回数情報と前記本体記憶部から取得する前記識別情報に対応した回数情報のうちより多い回数を示す回数情報に対応付けられた前記クリーニング情報が前記クリーニング処理が中断されたことを示す場合、前記報知部が報知を行うまでに前記実行部が前記クリーニング処理よりも前記回転体をクリーニングする時間が短いクリーニング処理を実行させるモードであることを特徴とする請求項１１乃至１３のいずれか１項に記載の画像形成装置。
【請求項１７】
前記記録部は、前記ジャム検知部が前記定着部でのジャムを検知したことに伴い、前記クリーニング情報として前記クリーニング処理が実行されていないことを示す情報を前記定着記憶部に記録するとともに前記定着記憶部が記憶する前記回数情報を更新し、
前記記録部は、前記ジャム検知部が前記定着部でのジャムを検知したことに伴い、前記クリーニング情報として前記クリーニング処理が実行されていないことを示す情報を、更新した前記回数情報と前記識別情報に対応付けて前記本体記憶部に記録することを特徴とする請求項１１乃至１６のいずれか１項に記載の画像形成装置。
【請求項１８】
前記記録部は、前記実行部による前記クリーニング処理が実行されてから前記画像形成装置が記録材への画像形成を開始するまでの間に、前記クリーニング情報として前記クリーニング処理が実行済みであることを示す情報を前記定着記憶部に記録するとともに前記定着記憶部が記憶する前記回数情報を更新し、
前記記録部は、前記実行部による前記クリーニング処理が実行されてから前記画像形成装置が記録材への画像形成を開始するまでの間に、更新した前記回数情報と前記識別情報に対応付けて前記本体記憶部に記録することを特徴とする請求項１７に記載の画像形成装置。
【請求項１９】
前記定着部は、前記回転体を加熱する加熱部と、前記回転体の温度を検知する温度検知部と、を有し、
前記実行部は、前記画像形成装置の本体に装着されている前記定着部に対応した前記クリーニング情報が前記識別情報に基づき前記本体記憶部に記憶されていると判別した場合であって、前記定着記憶部から取得する回数情報と前記本体記憶部から取得する前記識別情報に対応した回数情報のうちより新しい時刻情報に対応付けられた前記クリーニング情報が前記クリーニング処理が実行されていないことを示している場合、前記加熱部により加熱された前記回転体が所定の温度になったことを前記温度検知部が検知したことに伴い前記クリーニング処理を開始させることを特徴とする請求項１１乃至１８のいずれか１項に記載の画像形成装置。
【請求項２０】
前記定着部を前記画像形成装置の本体から取り出すための開口部を開閉する開閉部と、
前記開閉部が閉じられたことを検知する開閉検知部と、を有し、
前記実行部は、前記開閉部が閉じられたことを前記開閉検知部が検知したことに伴い前記本体記憶部と前記定着記憶部から取得する情報に基づき、前記画像形成装置の本体に装着されている前記定着部に前記クリーニング処理が実行されていないと判別した場合、前記報知部が報知を行う前に前記クリーニング処理を実行させることを特徴とする請求項１に記載の画像形成装置。
【請求項２１】
前記画像形成装置を起動する電源スイッチを有し、
前記実行部は、前記電源スイッチがオンになったことに伴い前記本体記憶部と前記定着記憶部から取得する情報に基づき、前記画像形成装置の本体に装着されている前記定着部に前記クリーニング処理が実行されていないと判別した場合、前記報知部が報知を行う前に前記クリーニング処理を実行させることを特徴とする請求項１又は２０に記載の画像形成装置。
【請求項２２】
前記回転体をクリーニングするクリーニング部を有し、
前記実行部は、前記クリーニング処理を前記クリーニング部に実行させることを特徴とする請求項１乃至２１のいずれか１項に記載の画像形成装置。
【請求項２３】
前記実行部は、前記定着記憶部と前記本体記憶部から取得する情報に拘わらず、前記報知部が報知を行うまでに前記定着部が定着処理を開始できる状態とするためのウォームアップ処理を前記定着部に実行させ、
前記クリーニング部は、前記ウォームアップ処理中に前記回転体をクリーニングすることを特徴とする請求項２２に記載の画像形成装置。
【請求項２４】
前記定着部は、前記定着処理するためのニップ部を前記回転体とともに形成する他の回転体を有し、
前記クリーニング部は、前記回転体により従動回転しながら前記回転体からトナーを回収する回収回転体と、前記回収回転体の表面に当接して前記回収回転体からトナーを除去するためのウェブと、前記ウェブが巻きつけられたローラと、前記ウェブを巻き取る巻き取りローラと、を有し、前記巻き取りローラを断続的に回転させることによりクリーニングすることを特徴とする請求項２２又は２３に記載の画像形成装置。
【請求項２５】
前記クリーニング部は、前記回転体により従動回転しながら前記回転体からトナーを除去するためのウェブと、前記ウェブが巻きつけられたローラと、前記ウェブを巻き取る巻き取りローラと、を有し、前記巻き取りローラを断続的に回転させることによりクリーニングすることを特徴とする請求項２２又は２３に記載の画像形成装置。
【請求項２６】
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体と、前記画像形成装置の本体に着脱可能な他の定着部と識別するための識別情報を含む情報を記憶する定着記憶部と、を備える定着部と、
前記定着部でのジャムを検知するジャム検知部と、
前記ジャム検知部が検知したジャムの解消に伴う前記回転体のクリーニング処理を実行させる実行部と、
情報を記憶する本体記憶部と、
前記クリーニング処理が実行されたか否かに対応するクリーニング情報と前記定着記憶部から取得する識別情報とを対応付けて前記本体記憶部に記録する記録部であって、前記クリーニング情報を対応付けて前記定着記憶部に記録する記録部と、
前記画像形成装置が記録材への画像形成を実行できる状態であることを操作者に報知する報知部と、
を有し、
前記実行部は、前記本体記憶部と前記定着記憶部から取得する情報に基づき、前記画像形成装置の本体に装着されている前記定着部に前記クリーニング処理が実行されていないと判別した場合、前記報知部が報知を行う前に前記クリーニング処理を実行させることを特徴とする画像形成装置。
【請求項２７】
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体と、前記画像形成装置の本体に着脱可能な他の定着部と識別するための識別部と、情報を記憶可能な定着記憶部と、を備える定着部と、
前記定着部でのジャムを検知するジャム検知部と、
前記ジャム検知部が検知したジャムの解消に伴う前記回転体のクリーニング処理を実行させる実行部と、
情報を記憶可能な本体記憶部と、
前記クリーニング処理が実行されたか否かに対応するクリーニング情報と前記識別部に基づく識別情報とを対応付けて前記本体記憶部に記録する記録部であって、前記クリーニング情報を対応付けて前記定着記憶部に記録する記録部と、
を有し、
前記実行部は、前記本体記憶部と前記定着記憶部から取得する情報に基づき、前記画像形成装置の本体に装着されている前記定着部に前記クリーニング処理が実行されていないと判別した場合、前記定着部にて定着処理が開始されるまでに前記クリーニング処理を実行させることを特徴とする画像形成装置。
【請求項２８】
画像形成装置に着脱可能な定着装置であって、
記録材に形成された未定着トナー像を記録材に定着処理するとき記録材の未定着トナー像が形成された面に接する回転体と、
前記回転体をクリーニングするクリーニング部と、
前記画像形成装置の本体に着脱可能な他の定着部と識別するための識別部と、
前記定着装置でのジャムの解消に伴い前記クリーニング部によりクリーニング処理が実行されたか否かに対応するクリーニング情報と時刻情報とを対応付けて記憶可能な定着記憶部と、
を有することを特徴とする定着装置。
【請求項２９】
画像形成装置に着脱可能な定着装置であって、
記録材に形成された未定着トナー像を記録材に定着処理するとき記録材の未定着トナー像が形成された面に接する回転体と、
前記回転体をクリーニングするクリーニング部と、
前記画像形成装置の本体に着脱可能な他の定着部と識別するための識別部と、
情報を記憶するための定着記憶部であって、前記定着装置でのジャムの解消に伴い前記クリーニング部によりクリーニング処理が実行されたか否かに対応するクリーニング情報と前記定着記憶部に情報が記録された累積回数を示す回数情報とを対応付けて記憶可能な定着記憶部と、
を有することを特徴とする定着装置。
【請求項３０】
前記回数情報が示す前記累積回数は、前記定着記憶部に前記クリーニング情報が記録された累積回数であることを特徴とする請求項２９に記載の定着装置。
【手続補正２】
【補正対象書類名】明細書
【補正対象項目名】０３８２
【補正方法】変更
【補正の内容】
【０３８２】
例えば、複数回の定着処理を経て蓄積された定着ローラ１５１のトナー汚れを除去する目的で、ＣＰＵ３０１は立上げシークエンスの累積の実行回数１００回に１回の割合で、クリーニング処理が実行済みである場合にもクリーニング処理を実行させる。この場合、ＣＰＵ３０１は、第一定着器１５０での立上げシークエンスの累積の実行回数を本体メモリ３１２に記録し、この記録された累積の実行回数に基づいて例外処理を実行する。
【手続補正３】
【補正対象書類名】明細書
【補正対象項目名】０４０８
【補正方法】削除
【補正の内容】